(57)【要約】      （修正有）【課題】太陽の第１世代の星の元素は、太陽に集まらなかったのはどうしてか。中性子星に集まってきたのは水素雲だったのか、ダークマターだったのか。銀河と銀河は質量が大きいのに、引力によって、なぜ衝突しないのか。【解決手段】太陽の基となった中性子星でできる電気の光子と磁気の光子の軌道は、１．０５８×１０−１０ｍ÷中性子星のＡ＝１．０５８×１０−１０ｍ÷（２．０２９×１０５）＝５．２１７×１０−１６ｍです。ダークマターは、自転する電子のラブと自転する陽子のラブです。自転する電子のラブの軌道は、１０−１０ｍ×２７３℃１／２＝１．６５２×１０−９ｍ１．６５２×１０−９−８ｍ＝１．６５２×１０−１７ｍです。電気の光子はダークマターを包み込み活性化した。これが中性子星に集まった。地球の地磁気ができる計算法によって、銀河の中心でできる磁気帯の距離を算出する。【選択図】図２
2008099552.tif 000002
【特許請求の範囲】
【請求項１】
太陽には、どうして太陽の第１世代の星の中でできた元素が集まらなかったのか。
太陽の第１世代の星が爆発した後には、たくさんの元素が飛散しました。それで、太陽にもたくさんの種類の元素が集まるはずです。それなのに、太陽（その時は中性子星でした。）には、第１世代の星の中でできた元素は集まりませんでした。どうしてでしょうか。
第１世代の星の中でできた元素は、２重層に成っていて、中性子が半分ずつ外側と内側に成っていました。爆発後、−２７３℃の空間に出たので、軌道は大きくなりました。外側の中性子は、陽子のラブと電子のラブに成りました。電子のラブの公転軌道は、約１０−９ｍに成りましたけれども、中央に中性子のラブと陽子のラブがあるので、それに引かれてもっと小さく成っています。
爆発後の元素は元素のまま存在します。
元素の中の電子のラブと陽子のラブと中性子のラブは、自転しながら公転しています。
電子のラブの公転軌道は、１０−１０ｍから１０−９ｍです。
中性子星の電子のラブの公転軌道は、
１．０５８×１０−１０ｍ÷中性子星のＡ＝１．０５８×１０−１０ｍ÷（２．０２８×１０５）＝５．２１７×１０−１６ｍです。
中性子星の電子のラブの公転によって、電気の光子ができました。
その電気の光子の軌道は、５．２１７×１０−１６ｍです。
軌道の大きさがかけ離れているので、中性子星の電子のラブでできた光子は元素には作用しません。
それで、中性子星には元素は集まらなかった。
【請求項２】
中性子星に集まってきたのは、水素雲だったのか、それともダークマターだったのか。
中性子星の電子のラブの公転軌道は、
１．０５８×１０−１０ｍ÷（２．０２８×１０５）＝５．２１７×１０−１６ｍです。
ダークマターの電子のラブの公転軌道は、
１０−１０ｍ×２７３℃１／２＝１０−１０ｍ×１６．５２＝１．６５２×１０−９ｍで、自転軌道は、１．６５２×１０−９−８ｍ＝１．６５２×１０−１７ｍです。
ダークマターは公転せず自転しています。
水素雲の水素の公転軌道は、
１０−１０ｍ×２６０℃１／２＝１０−１０ｍ×１６．１２＝１．６１２×１０−９ｍです。
しかし、水素雲は水素ですから、電子のラブと陽子のラブは単独で自転しません。
水素の外側は電子のラブの公転軌道です。
中性子星の電子のラブの公転によって、電気の光子ができました。
その電気の光子の軌道は、５．２１７×１０−１６ｍです。
それで、ほぼ同じ軌道で自転しているダークマターを包み込み活性化しました。
活性化したダークマターと中性子星の電子のラブはほぼ同じ軌道なので引き合いました。
この事によって、中性子星にはダークマターが集まりました。
水素雲は水素なので、電子のラブと陽子のラブは単独で自転できないので、これには、中性子星でできた電気の光子は作用できません。
即ち、中性子星に集まったのは、ダークマターであり、水素雲ではありません。
中性子星に集まったダークマターが、熱で暖められ、−２６０℃になり水素雲に成りました。
【請求項３】
太陽ができた時、ダークマターは、中性子星のジェットが届く範囲から集まった。この時、１ｍ３にどれだけのダークマターが存在したか。
１Ｋｇの原子数は、６×１０２６個です。
太陽の原子数は、太陽の質量×６×１０２６個＝１．９８９×１０３０Ｋｇ×６×１０２６個＝１．１９３４×１０５７個です。
この原子がダークマターの状態で集められました。
ジェットが届いた範囲の半径は、太陽の半径×８４９×中性子星のＡ÷太陽の核融合反応をする場のＡ＝６．９６×１０５Ｋｍ×８４９×２．０２９×１０５÷（３．８７２×１０３）＝３．０９６×１０１０Ｋｍです。
この体積は、４π÷３×（３．０９６×１０１３ｍ）３＝１．２４２×１０４１ｍ３です。
１ｍ３に存在したダークマターは、
１．１９３４×１０５７個÷（１．２４２×１０４１ｍ３）≒１０１６個です。
太陽ができた場は、１０−１４ｍの時代で、１ｍ３の原子数が１０１６個である軌道です。
【請求項４】
惑星ができた時、惑星の軌道には１ｍ３に何個の原子が存在したか。
但し、惑星の軌道は、惑星と惑星の距離の１／２とし、そこに存在する原子が惑星になったとする。
▲１▼惑星の軌道の距離と惑星の軌道の体積はいくらか。
惑星の軌道は、例えば、地球の場合。
地球の軌道の外側の距離＝（地球の距離−金星の距離）÷２＋地球の距離
地球の軌道の内側の距離＝金星の軌道の外側の距離
金星の軌道の外側の距離＝（金星の距離−水星の距離）÷２＋金星の距離
地球の軌道の距離＝地球の軌道の外側の距離−地球の軌道の内側の距離＝（地球の距離−金星の距離）÷２＋地球の距離−｛（金星の距離−水星の距離）÷２＋金星の距離｝＝地球の距離×１．５−金星の距離×２＋水星の距離÷２
地球の軌道の体積＝地球の軌道の外側の体積−地球の軌道の内側の体積＝４π／３×地球の軌道の外側の距離３−４π／３×地球の軌道の内側の距離３＝４π／３×｛（地球の軌道の外側の距離３−地球の軌道の内側の距離３）｝
即ち、惑星がＫ、Ｌ、Ｍの順に並んでいるとすると、
Ｍの軌道の距離＝Ｍの距離×１．５−Ｌの距離×２＋Ｋの距離÷２  です。
Ｍの軌道の体積＝４π／３×｛（Ｍの距離−Ｌの距離）÷２＋Ｍの距離｝３−４π／３×｛（Ｌの距離−Ｋの距離）÷２＋Ｌの距離｝３＝４π／３×〔｛（Ｍの距離−Ｌの距離）÷２＋Ｍの距離｝３−｛（Ｌの距離−Ｋの距離）÷２＋Ｌの距離｝３〕です。
この式により惑星の軌道の距離と惑星の軌道の体積を求める。
水星の場合。
水星の軌道の距離＝水星の距離×１．５＝０．５７９×１０１１ｍ×１．５＝０．８６８５×１０１１ｍ
水星の軌道の体積＝４π／３（水星の距離÷２＋水星の距離）３−４π／３（水星の距離÷２）３＝４π／３｛（０．５７９×１０１１ｍ÷２＋０．５７９×１０１１ｍ）３−（０．５７９×１０１１ｍ÷２）３＝４π／３（０．６５５×１０３３ｍ３−０．０２４２×１０３３ｍ３）＝２．６４１×１０３３ｍ３
金星の場合。
金星の軌道の距離＝｛（金星の距離−水星の距離）÷２＋金星の距離｝−（水星の距離÷２＋水星の距離）＝金星の距離×１．５−水星の距離×２＝１．０２８×１０１１ｍ×１．５−０．５７９×１０１１ｍ×２＝０．３８４×１０１１ｍ
金星の軌道の体積＝４π／３〔｛（金星の距離−水星の距離）÷２＋金星の距離｝３−（水星の距離÷２＋水星の距離）３〕＝４π／３｛（１．０２８×１０１１ｍ−０．５７９×１０１１ｍ）÷２＋１．０８２×１０１１ｍ｝｝３−（０．５７９×１０１１ｍ×１．５）３｝＝４π／３（２．３７１×１０３３ｍ３−０．６５５×１０３３ｍ３）＝７．１８５×１０３３ｍ３
地球の場合。
地球の軌道の距離＝地球の距離×１．５−金星の距離×２＋水星の距離÷２＝１．４９６×１０１１ｍ×１．５−１．０８２×１０１１ｍ×２＋０．５７９×１０１１ｍ÷２＝０．３６９５×１０１１ｍ
地球の軌道の体積＝４π／３×〔｛（１．４９６×１０１１ｍ−１．０８２×１０１１ｍ）÷２＋１．４９６×１０１１ｍ｝３−｛（１．０８２×１０１１ｍ−０．５７９×１０１１ｍ）÷２＋１．０８２×１０１１ｍ｝３〕＝４π／３×｛（１．７０３×１０１１ｍ）３−（１．３３３５×１０１１ｍ）３｝＝４π／３×（４．９３９×１０３３ｍ３−２．３７１×１０３３ｍ３）＝１０．７５２×１０３３ｍ３
火星の場合。
火星の軌道の距離＝火星の距離×１．５−地球の距離×２＋金星の距離÷２＝２．２７９×１０１１ｍ×１．５−１．４９６×１０１１ｍ×２＋１．０８２×１０１１ｍ÷２＝０．９６７５×１０１１ｍ
火星の軌道の体積＝４／３・π×〔｛（２．２７９×１０１１ｍ−１．４９６×１０１１ｍ）÷２＋２．２７９×１０１１ｍ｝３−｛（１．４９６×１０１１ｍ−１．０８２×１０１１ｍ）÷２＋１．４９６×１０１１ｍ｝３〕＝４／３・π｛（２．６７０５×１０１１ｍ）３−（１．７０３×１０１１ｍ）３｝＝４／３π（１９．０４５×１０３３ｍ３−４．９３９×１０３３ｍ３）＝５９．０５７×１０３３ｍ３
木星の場合。
木星の軌道の距離＝木星の距離×１．５−火星の距離×２＋地球の距離÷２＝７．７８３×１０１１ｍ×１．５−２．２７９×１０１１ｍ×２＋１．４９６×１０１１ｍ÷２＝７．８６４５×１０１１ｍ
木星の軌道の体積＝４／３・π×〔｛（７．７８３×１０１１ｍ−２．２７９×１０１１ｍ）÷２＋７．７８３×１０１１ｍ｝３−｛（２．２７９×１０１１ｍ−１．４９６×１０１１ｍ）÷２＋２．２７９×１０１１ｍ｝３〕＝４／３・π×｛（１０．５３５×１０１１ｍ）３−（２．６７０５×１０１１ｍ）３｝＝４／３・π（１１６９．２４×１０３３ｍ３−１９．０４５×１０３３ｍ３）＝４８１５．４８×１０３３ｍ３
土星の場合。
土星の軌道の距離＝土星の距離×１．５−木星の距離×２＋火星の距離÷２＝１４．２９４×１０１１ｍ×１．５−７．７８３×１０１１ｍ×２＋２．２７９×１０１１ｍ÷２＝７．０１４５×１０１１ｍ
土星の軌道の体積＝４／３・π×〔｛（１４．２９４×１０１１ｍ−７．７８３×１０１１ｍ）÷２＋１４．２９４×１０１１ｍ｝３−｛（７．７８３×１０１１ｍ−２．２７９×１０１１ｍ）÷２＋７．７８３×１０１１ｍ｝３〕＝４／３・π×｛（１７．５４９５×１０１１ｍ）３−（１０．５３５×１０１１ｍ）３｝＝４／３・π×（５４０４．９８×１０３３ｍ３−１１６９．２４×１０３３ｍ３）＝１７７３３×１０３３ｍ３
天王星の場合。
天王星の軌道の距離＝天王星の距離×１．５−土星の距離×２＋木星の距離÷２＝２８．７５０×１０１１ｍ×１．５−１４．２９４×１０１１ｍ×２＋７．７８３×１０１１ｍ÷２＝１８．４２８５×１０１１ｍ
天王星の軌道の体積＝４／３・π×〔｛（２８．７５０×１０１１ｍ−１４．２９４×１０１１ｍ）÷２＋２８．７５０×１０１１ｍ｝３−｛（１４．２９４×１０１１ｍ−７．７８３×１０１１ｍ）÷２＋１４．２９４×１０１１ｍ｝３〕＝４／３・π×｛（３５．９７８×１０１１ｍ）３−（１７．５４９５×１０１１ｍ）３｝＝４／３・π×（４６５７０．５１×１０３３ｍ３−５４０４．９８×１０３３ｍ３）＝１７２３４６×１０３３ｍ３
海王星の場合。
海王星の軌道の距離＝海王星の距離×１．５−天王星の距離×２＋土星の距離÷２＝４５．０４４×１０１１×１．５−２８．７５０×１０１１ｍ×２−１４．２９４×１０１１ｍ÷２＝１７．２１３×１０１１ｍ
海王星の軌道の体積＝４／３π×〔｛（４５．０４４×１０１１ｍ−２８．７５０×１０１１ｍ）÷２＋４５．０４４×１０１１ｍ｝３−｛（２８．７５０×１０１１ｍ−１４．２９４×１０１１ｍ）÷２＋２８．７５０×１０１１ｍ｝３〕＝４／３π×｛（５３．１９１×１０１１ｍ）３−（３５．９７８×１０１１ｍ）３｝＝４／３π×（１５０４９２．３６×１０３３ｍ３−４６５７０．５×１０３３ｍ３）＝４３５０８６×１０３３ｍ３
▲２▼惑星の原子数はいくらか。
１Ｋｇの原子数は、６×１０２６個です。
地球の質量は、５．９７４×１０２４Ｋｇです。
惑星の原子数＝６×１０２６個×５．９７４×１０２４Ｋｇ×地球の質量を１とする惑星の質量
水星の場合。
水星の質量は、地球の質量の０．０５５２７倍です。
水星の原子数＝６×１０２６個×５．９７４×１０２４Ｋｇ×０．０５５２７＝１．９８１×１０５０個
金星の場合。
金星の質量は、地球の質量の０．８１５０倍です。
金星の原子数＝６×１０２６個×５．９７４×１０２４Ｋｇ×０．８１５＝２．９２１×１０５１個
地球の場合。
地球の原子数＝６×１０２６個×５．９７４×１０２４Ｋｇ＝３．５８４×１０５１個
火星の場合。
火星の質量は、地球の質量の０．１０７４倍です。
火星の原子数＝６×１０２６個×５．９７４×１０２４Ｋｇ×０．１０７４＝３．８５×１０５０個
木星の場合。
木星の質量は、地球の質量の３１７．８３倍です。
木星の原子数＝６×１０２６個×５．９７４×１０２４Ｋｇ×３１７．８３＝１．１３９×１０５４個
土星の場合。
土星の質量は、地球の質量の９５．１６倍です。
土星の原子数＝６×１０２６個×５．９７４×１０２４Ｋｇ×９５．１６＝３．４１１×１０５３個
天王星の場合。
天王星の質量は、地球の質量の１４．５４倍です。
天王星の原子数＝６×１０２６個×５．９７４×１０２４Ｋｇ×１４．５４＝５．２１２×１０５２個
海王星の場合。
海王星の質量は、地球の質量の１７．１５倍です。
海王星の原子数＝６×１０２６個×５．９７４×１０２４Ｋｇ×１７．１５＝６．１４７×１０５２個
▲３▼惑星ができた時、惑星の軌道には１ｍ３に何個の原子が存在したか。
惑星の軌道に存在した原子が全て集まり、惑星の質量に成ったとする。
水星の場合。
水星の軌道の体積２．６４１×１０３３ｍ３に、水星の原子１．９８１×１０５０個が存在した。
１ｍ３に存在した原子数は、１．９８１×１０５０個÷（２．６４１×１０３３ｍ３）＝７．５０１×１０１６個です。
金星の場合。
金星の軌道の体積７．１８５×１０３３ｍ３に、金星の原子２．９２１×１０５１個が存在した。
１ｍ３に存在した原子数は、２．９２１×１０５１個÷（７．１８５×１０３３ｍ３）＝４．０６５×１０１７個です。
地球の場合。
地球の軌道の体積１０．７５２×１０３３ｍ３に、地球の原子３．５８４×１０５１個が存在した。
１ｍ３に存在した原子数は、３．５８４×１０５１個÷（１０．７５２×１０３３ｍ３）＝３．３３３×１０１７個です。
火星の場合。
火星の軌道の体積５９．０５７×１０３３ｍ３に、火星の原子３．８５×１０５０個が存在した。
１ｍ３に存在した原子数は、３．８５×１０５０個÷（５９．０５７×１０３３ｍ３）＝６．５１９×１０１５個です。
木星の場合。
木星の軌道の体積４８１５．４８×１０３３ｍ３に、木星の原子１．１３９×１０５４個が存在した。
１ｍ３に存在した原子数は、１．１３９×１０５４個÷（４８１５．４８×１０３３ｍ３）＝２．３６５×１０１７個です。
土星の場合。
土星の軌道の体積１７７３３×１０３３ｍ３に、土星の原子３．４１１×１０５３個が存在した。
１ｍ３に存在した原子数は、３．４１１×１０５３個÷（１７７３３×１０３３ｍ３）＝１．９２３×１０１６個です。
天王星の場合。
天王星の軌道の体積１７２３４６×１０３３ｍ３に、天王星の原子５．２１２×１０５２個が存在した。
１ｍ３に存在した原子数は、５．２１２×１０５２個÷（１７２３４６×１０３３ｍ３）＝３．０２４×１０１４個です。
海王星の場合。
海王星の軌道の体積４３５０８６×１０３３ｍ３に、海王星の原子６．１４７×１０５２個が存在した。
１ｍ３に存在した原子数は、６．１４７×１０５２個÷（４３５０８６×１０３３ｍ３）＝１．４１３×１０１４個です。
この事を表にします。
2008099552.tif 000013
【請求項５】
太陽の親である第１世代の星の元素はどこまで飛んだか。
惑星達ができる時、
水星ができた軌道には、１ｍ３に、７．５０１×１０１６個の原子が存在した。
金星ができた軌道には、１ｍ３に、４．０６５×１０１７個の原子が存在した。
地球ができた軌道には、１ｍ３に、３．３３３×１０１７個の原子が存在した。
火星ができた軌道には、１ｍ３に、６．５１９×１０１４個の原子が存在した。
木星ができた軌道には、１ｍ３に、２．３６５×１０１７個の原子が存在した。
土星ができた軌道には、１ｍ３に、１．９２３×１０１６個の原子が存在した。
天王星ができた軌道には、１ｍ３に、３．０２４×１０１４個の原子が存在した。
海王星ができた軌道には、１ｍ３に、１．４１３×１０１４個の原子が存在した。
１．火星ができた軌道に１ｍ３の原子数が少ないのは、火星ができた軌道に小惑星ができていたので、その分火星になった原子数は少ないことを示す。
火星の軌道の原子数＝火星の原子数＋小惑星の総合の原子数です。
２．水星、金星、地球、火星の密度は大きい。この事は、第１世代の中でできた重い元素は、中性子星に近い距離に飛んだことを示す。水星、金星、地球、火星までの球体の軌道に飛んだことを示す。
３．木星の密度は、１．３３であり、太陽の密度は１．４１である。この事は、木星は太陽と同じ水素とヘリュウムでできている。
木星の１ｍ３の原子数が金星、地球とほぼ同じである事は、第１世代の星の外側の水素とヘリュウムは木星の球体の軌道まで飛んできたことを示す。
４．土星の密度は０．６９であり、水素が存在する割合が大きい。第１世代の星の最も外側に存在した水素は、土星の球体の軌道まで飛んだ事を示す。
５．天王星と海王星の元素は、第１世代の星が爆発し飛んだ元素ではない事を示す。
６．第１世代の星の中でできた重い元素は、火星までの距離、半径２．２７８×１０１１ｍの球体まで飛んだ。第１世代の星の外側に存在した水素とヘリュウムは、木星の距離、半径７．７８３×１０１１ｍの球体まで飛んだ。第１世代の星の最も外側に存在していた水素は、土星の距離、半径１４．２９４×１０１１ｍの球体のまで飛んだ。１部天王星まで飛んだ。
７．天王星と海王星は、１ｍ３の原子数が約１０１４個である軌道でできた。
【請求項６】
どうして土星の密度は小さいのか。どうして天王星の密度は海王星の密度より小さいのか。
土星の密度が０．６９であり、太陽や木星の約１／２です。この事は土星の軌道には、水素が多かったことを示す。
質量は地球の質量の９５．１６倍もあるのに、密度は太陽や木星の約１／２ですから、土星はほぼ水素でできている。
これは、ダークマターが水素に成ったものです。（これは「請求項５」の４とは別の考えです。）
第１世代の星の爆発により、第１世代の星の元素が飛び出しました。
それで、水星から木星までのダークマターの１部が押され、土星の軌道に押し出された。
それで、土星の軌道には、ダークマターが多かった。土星の軌道には水素が多かった。
その余波を受けて、押されたダークマターは天王星の軌道までやってきた。
天王星の１ｍ３の原子数は、海王星の１ｍ３の原子数より多い。多い分が水素である。
天王星の水素の割合が、海王星の水素の割合より大きいので、天王星の密度は海王星の密度より小さい。
天王星の質量は海天星の質量より少ないのに、天王星の体積は海天星の体積より大きい。
【請求項７】
土星の水素とヘリュウムの割合はどれ位か。
土星の密度は０．６９で、太陽は１．４１で、木星は１．３３です。
土星の密度は、太陽や木星の約１／２です。水素とヘリュウムの質量の比は１：２です。
土星の水素を１とし、ヘリュウムｘとすると、その質量は、１＋２ｘです。
太陽と木星の質量は１＋２＝３です。
密度は、１．５：３ですから、１＋２ｘ：３＝１．５：３  ｘ＝０．２５
よって、土星の水素とヘリュウムの割合は１：０．２５＝１００：２５です。
【請求項８】
海王星ができた軌道（１０−１４ｍの時代で、１ｍ３の原子数が１．４×１０１４個の軌道）の、水素とヘリュウムの割合はどれ位か。
天王星の１ｍ３の原子数は３．０２４×１０１４個です。海王星の１ｍ３の原子数は１．４１３×１０１４個です。
天王星の１ｍ３の原子数は、海王星の１ｍ３の原子数より、約１．５×１０１４個多いです。
この多い分が、押し寄せてきたダークマターである水素です。
よって、天王星の軌道１ｍ３の中には、１．５×１０１４個の水素と、１．５×１０１４個のＨｅ＋Ｈ２が存在する。この質量は、１×０．５＋３×０．５＝２です。
海王星の軌道１ｍ３の中には、１．４×１０１４個のＨｅ＋Ｈ２が存在する。この質量は、３です。
天王星の密度：海王星の密度＝２：３＝１．２７：ｘ  ｘ＝１．９
しかし、海王星の密度は、１．９ではなく、１．６４です。
これは、海王星のＨ：Ｈｅは１：１ではない事を示す。
Ｈ２：Ｈｅを１：ｙとすると、
その質量は、１＋２ｙ＝１．６４  ｙ＝０．３２
Ｈ２を１とすると、Ｈｅは０．３２です。
海王星ができた軌道（１０−１４ｍの時代で、１ｍ３の原子数が１．４×１０１４個の軌道）の、水素とヘリュウムの割合は、１：０．３２です。
この事から理解できる事。
１．海王星ができた軌道には、太陽の第１世代の星の元素が飛んでこなかった。それで、海王星ができた軌道は、ビッグバンの後の状態がそのまま残っている。
海王星のができた軌道の状態は、宇宙の１０−１４ｍの時代で、１ｍ３の原子数が１．４×１０１４個の軌道の様子を示している。
即ち、宇宙の１０−１４ｍの時代で、１ｍ３の原子数が１．４×１０１４個の軌道の水素とヘリュウムの割合は１：０．３２＝１００：３２であった。
ビッグバンの後、水素とヘリュウムの割合は１：０．３２＝１００：３２であった。
【請求項９】
火星と木星の間の小惑星の総合質量はいくらか。
第１世代の星の元素は木星の軌道の球体まで飛んだ。
それで、火星の軌道にも、１ｍ３の原子数は約３×１０１７個であるはずです。
火星の軌道の体積に、１ｍ３の原子数は約３×１０１７個であった。
火星の軌道の体積にあった原子数は、
火星の軌道の体積×３×１０１７個＝５９．０５７×１０３３ｍ３×３×１０１７個＝１．７７×１０５２個です。
このうち火星になった原子数は、３．８５×１０５０個ですから、小惑星になった原子数は、合計で、１．７７×１０５２個−３．８５×１０５０個＝１．７３×１０５２個です。
この質量は、
１．７３×１０５２個×１原子の質量＝１．７３×１０５２個×１．６６０６×１０−２７Ｋｇ＝２．８７×１０２５Ｋｇです。
小惑星の総合質量は２．８７×１０２５Ｋｇです。
【請求項１０】
小惑星と火星ができた時、どちらが先にできたか。
火星の軌道に小惑星と火星ができました。
はたして、小惑星が先にできたのか。火星が先にできたのか。
この事は、火星の質量が他の惑星と比較すると非常に小さい事から、その場に、先に小惑星ができていた、と考えられる。
地球の質量を１とするとき、水星は０．０５５２７、金星は０．８１５０、地球は１、火星は０．１０７４、木星は３１７．８３、土星は９５．１６、天王星は１４．５４、海王星は１７．１５です。
第１世代の星が爆発し、その元素が存在した空間に惑星ができた。その条件は、惑星ができる時同じだった。中性子星から遠くなる程、惑星の質量は大きくなっている。それなのに、火星だけ質量が小さいのは、その軌道の１ｍ３の原子数が少ないからです。原子の濃度が薄いからです。原子の濃度が薄いから、密度が小さい火星ができた。原子の濃度が薄いから集まりづらく、火星の質量は小さい。
先に、小惑星ができていたので、その近辺の原子濃度が薄くなっていた。
原子濃度が薄い場に火星ができた。
よって、小惑星が先にでき、その後、火星ができた。
この事から理解できる事。
１．小惑星ができてから火星ができた。
２．中性子星のジェットでカイパーベルト小惑星ができ、次に、核融合反応がおきる以前のジェットで、火星の軌道に小惑星ができた。その後、惑星ができた。
【請求項１１】
ジェットには２種類あります。１つは、ブラックホールや中性子星でできるジェットです。１つは、核融合反応がおきる以前にできるジェットです。このジェットの名を“核融合反応の点火のジェット”と名づけます。
ブラックホールや中性子星でできるジェットで、“核融合反応の点火のジェット”が点火され、“核融合反応の点火のジェット”で、核融合反応が点火された。
【請求項１２】
小惑星はどうしてまとまって１つの大きな惑星にならなかったのか。
核融合反応がおきる以前、ジェットが出た。そのジェットで、所々に元素の塊ができ小惑星ができた。小惑星は同じ速度で回転していた。それで、小惑星は接近する事が無いので結合できず、大きな惑星にはならなかった。
この事から理解できる事。
１．惑星の速度は大きさや質量によらず、太陽からの距離により決定される。
【請求項１３】
惑星ができた軌道はどれ位収縮したか。
惑星ができた軌道は、「請求項４」で求めた。
惑星ができた軌道の中に存在する元素が現在の惑星になった。
惑星は、惑星ができた軌道の体積が収縮し、現在の体積になった、と考えるとき、惑星の収縮率はいくらか。
収縮率＝現在の体積÷惑星ができた軌道の体積
2008099552.tif 000014
2008099552.tif 000015
この事によって理解できる事。
１．惑星ができる時、惑星の体積が約１０１３分の１に収縮し惑星ができた、と考える事ができる。
２．惑星ができる以前、その場の軌道には１ｍ３に原子数が約１０１７個あった。体積が約１０１３分の１に収縮し惑星ができた、と考える事ができる。
３．１ｍ３の原子数は、１ｍ３の原子濃度です。原子濃度の大きい空間ほど収縮しやすい。
【請求項１４】
１ｍ３の原子数と収縮率は比例します。この式を、１ｍ３の原子数×収縮率定数＝収縮率  の式で現すと収縮率定数はいくらになるか。
水星の場合。
惑星ができた軌道の１ｍ３の原子数×収縮率定数＝収縮率
収縮率定数＝収縮率÷惑星ができた軌道の１ｍ３の原子数
収縮率定数＝２．９９４×１０−１４÷（７．５０１×１０１６個）＝３．０５８×１０−３１
金星の場合。
収縮率定数＝１．２９１×１０−１３÷（４．０６５×１０１７個）＝３．１７６×１０−３１
地球の場合。
収縮率定数＝１．００６×１０−１３÷（３．３３３×１０１７個）＝３．０１８×１０−３１
火星の場合。
収縮率定数＝２．７６７×１０−１５÷（６．５１９×１０１５個）＝４．２４５×１０−３１
木星の場合。
収縮率定数＝２．９６７×１０−１３÷（２．３６５×１０１７個）＝１．２５５×１０−３０
土星の場合。
収縮率定数＝４．６０６×１０−１４÷（１．９２３×１０１６個）＝２．３９５×１０−３０
天王星の場合。
収縮率定数＝３．９５６×１０−１６÷（３．０２４×１０１４個）＝１．３０８×１０−３０
海王星の場合。
収縮率定数＝１．４４２×１０−１６÷（１．４１３×１０１４個）＝１．０２１×１０−３０
【請求項１５】
地球型惑星とガス型惑星はどのようにできるか。
１．水星、金星、地球の収縮率定数は３×１０−３１です。火星の収縮率定数は４×１０−３１です。
これは、地球型惑星です。
地球型惑星の体積＝惑星ができた軌道の体積×惑星ができた軌道の１ｍ３の原子数×３〜４×１０−３１＝惑星ができた軌道の原子数×３〜４×１０−３１＝惑星の原子数×３〜４×１０−３１
地球型惑星は、惑星の体積＝惑星の原子数×３〜４×１０−３１になった物です。
２．木星、天王星、海王星の収縮率定数は１×１０−３０です。土星の収縮率定数は２．４×１０−３０です。これは、ガス型惑星です。
ガス型惑星の体積＝惑星ができた軌道の体積×惑星ができた軌道の１ｍ３の原子数×１〜２×１０−３０＝惑星ができた軌道の原子数×１〜２×１０−３０＝惑星の原子数×１〜２×１０−３０
ガス型惑星は、惑星の体積＝惑星の原子数×１〜２×１０−３０になった物です。
2008099552.tif 000016
【請求項１６】
惑星の体積＝惑星ができた軌道の体積×惑星ができた軌道の１ｍ３の原子数×収縮率定数  の式より、できた惑星の密度を求める。惑星の密度は何によって決定されるか。
惑星の体積＝惑星ができた軌道の体積×惑星ができた軌道の１ｍ３の原子数×収縮率定数＝惑星ができた軌道の原子数×収縮率定＝惑星の原子数×収縮率定数
惑星の体積＝惑星の原子数×収縮率定数
惑星の密度＝惑星の質量÷惑星の体積＝惑星の質量÷（惑星の原子数×収縮率定数）＝惑星の原子数×１．６６０６×１０−２４ｇ÷（惑星の原子数×収縮率定数）＝１．６６０６×１０−２４ｇ÷収縮率定数
水星の場合。
水星の密度＝１．６６０６×１０−２４ｇ÷収縮率定数＝１．６６０６×１０−２４ｇ÷（３．０５８×１０−３１）＝５．４３０×１０６ｇ／ｍ３＝５．４３ｇ／ｃｍ
金星の場合。
金星の密度＝１．６６０６×１０−２４ｇ÷収縮率定数＝１．６６０６×１０−２４ｇ÷（３．１７６×１０−３１）＝５．２２９×１０６ｇ／ｍ３＝５．２２９ｇ／ｃｍ
地球の場合。
地球の密度＝１．６６０６×１０−２４ｇ÷収縮率定数＝１．６６０６×１０−２４ｇ÷（３．０１８×１０−３１）＝５．５０２×１０６ｇ／ｍ３＝５．５０２ｇ／ｃｍ
火星の場合。
火星の密度＝１．６６０６×１０−２４ｇ÷収縮率定数＝１．６６０６×１０−２４ｇ÷（４．２４５×１０−３１）＝３．９１２×１０６ｇ／ｍ３＝３．９１２ｇ／ｃｍ
木星の場合。
木星の密度＝１．６６０６×１０−２４ｇ÷収縮率定数＝１．６６０６×１０−２４ｇ÷（１．２５５×１０−３０）＝１．３２３×１０６ｇ／ｍ３＝１．３２３ｇ／ｃｍ
土星の場合。
土星の密度＝１．６６０６×１０−２４ｇ÷収縮率定数＝１．６６０６×１０−２４ｇ÷（２．３９５×１０−３０）＝０．６９３×１０６ｇ／ｍ３＝０．６９３ｇ／ｃｍ
天王星の場合。
天王星の密度＝１．６６０６×１０−２４ｇ÷収縮率定数＝１．６６０６×１０−２４ｇ÷（１．３０８×１０−３０）＝１．２７０×１０６ｇ／ｍ３＝１．２７０ｇ／ｃｍ
海王星の場合。
海王星の密度＝１．６６０６×１０−２４ｇ÷収縮率定数＝１．６６０６×１０−２４ｇ÷（１．０２１×１０−３０）＝１．６２６×１０６ｇ／ｍ３＝１．６２６ｇ／ｃｍ
・惑星の密度は何によって決定されるか。
惑星の密度＝１．６６０６×１０−２４ｇ÷収縮率定数
惑星の密度は、惑星の収縮率定数によって決定される。
【請求項１７】
惑星の収縮率定数とは何か。
収縮率定数＝収縮率÷惑星ができた軌道の１ｍ３の原子数
収縮率＝惑星の体積÷惑星ができた軌道の体積
収縮率定数＝惑星の体積÷惑星ができた軌道の体積÷惑星ができた軌道の１ｍ３の原子数＝惑星の体積÷（惑星ができた軌道の体積×惑星ができた軌道の１ｍ３の原子数）＝惑星の体積÷惑星の原子数
この事は、惑星ができた軌道に、どれ位の原子数が存在したかによって、収縮率定数が決定される。
１ｍ３の原子数が多いと、収縮率は大きい。
よって、次の式が成立する。
収縮率定数×惑星ができた軌道の体積×惑星ができた軌道の１ｍ３の原子数＝惑星の体積
収縮率定数×惑星の原子数＝惑星の体積
この式の確認をする。
水星の場合。
３．０５８×１０−３１×２．６４１×１０３３ｍ３×７．５０１×１０１６個＝６．０５８×１０１９ｍ３
３．０５８×１０−３１×１．９８１×１０５０個＝６．０５８×１０１９ｍ３
金星の場合。
３．１７６×１０−３１×７．１８５×１０３３ｍ３×４．０６５×１０１７個＝９．２７６×１０２０ｍ３
３．１７６×１０−３１×２．９２１×１０５１個＝９．２７７×１０２０ｍ３
地球の場合。
３．０１８×１０−３１×１０．７５２×１０３３ｍ３×３．３３３×１０１７個＝１．０８２×１０２１ｍ３
３．０１８×１０−３１×３．５８４×１０５１個＝１．０８２×１０２１ｍ３
火星の場合。
４．２４１×１０−３１×５９．０５７×１０３３ｍ３×６．５１９×１０１５個＝１．６３３×１０２０ｍ３
４．２４１×１０−３１×３．８５０×１０５０個＝１．６３３×１０２１ｍ３
木星の場合。
１．２５５×１０−３０×４８１５．４８×１０３３ｍ３×２．３６５×１０１７個＝１．４２９×１０２４ｍ３
１．２５５×１０−３０×１．１３９×１０５４個＝１．４２９×１０２４ｍ３
土星の場合。
２．３９５×１０−３０×１７７３３×１０３３ｍ３×１．９２３×１０１６個＝８．１６７×１０２３ｍ３
２．３９５×１０−３０×３．４１１×１０５３個＝８．１６９×１０２３ｍ３
天王星の場合。
１．３０８×１０−３０×１７２３４６×１０３３ｍ３×３．０２４×１０１４個＝６．８１７×１０２２ｍ３
１．３０８×１０−３０×５．２１２×１０５２個＝６．８１７×１０２２ｍ３
海王星の場合。
１．０２１×１０−３０×４３５０８６×１０３３ｍ３×１．４１３×１０１４個＝６．２７７×１０２２ｍ３
１．０２１×１０−３０×６．１４７×１０５２個＝６．２７６×１０２２ｍ３
【請求項１８】
惑星の質量はどのように決定されたか。
惑星の体積＝惑星ができた軌道の体積×惑星ができた軌道の１ｍ３の原子数×収縮率定数
惑星の密度＝惑星の質量÷惑星の体積＝惑星の原子数×１．６６０６×１０−２４ｇ÷（惑星ができた軌道の体積×惑星ができた軌道の１ｍ３の原子数×収縮率定数）＝１．６６０６×１０−２４ｇ÷収縮率定数
惑星の質量＝惑星の体積×密度＝惑星ができた軌道の体積×惑星ができた軌道の１ｍ３の原子数×収縮率定数×１．６６０６×１０−２４ｇ÷収縮率定数＝惑星ができた軌道の体積×惑星ができた軌道の１ｍ３の原子数×１．６６０６×１０−２４ｇ＝惑星ができた軌道の体積の原子数×１．６６０６×１０−２４ｇ＝惑星の体積の原子数×１．６６０６×１０−２４ｇ
この事によって理解できる事。
１．惑星ができた軌道の体積が惑星の体積に収縮した。
【請求項１９】
太陽ができた時、太陽の水素はジェット噴射が届く範囲から集まった。その時、１ｍ３に、何個の原子が存在したか。
ジェットが届く距離は、６．９６×１０５Ｋｍ×８４９×２．０２９×１０５÷（３．８７２×１０３）＝３．０９６×１０１０Ｋｍです。
この体積は、４π÷３×（３．０９６×１０１０＋３ｍ）３＝１．２４２×１０４１ｍ３
太陽の原子数は、６×１０２６個×太陽の質量＝６×１０２６個×１．９８９×１０３０Ｋｇ＝１．１９３×１０５７個です。
この原子数は中性子星の原子も含まれるのですが、この原子数が１．２４２×１０４１ｍ３に存在したとする。
１ｍ３に、１．１９３×１０５７個÷（１．２４２×１０４１ｍ３）＝９．６×１０１５個の原子が存在した。約１０１６個の原子が存在した。
この事によって何が理解できるか。
１．太陽は、中心に中性子星があり、１０−１４ｍの時代、１ｍ３に、１０１６個の原子が存在する軌道でできた。
【請求項２０】
私は、今まで、クエーサーや銀河の中心の質量が太陽の質量の１０ｎ倍である。
この質量は、ジェットが届く範囲から集まるとして、１ｍ３の原子数を計算した。しかし、ジェットが届く範囲から集まる原子数は、クエーサーや銀河の中心の質量だけではなく、クエーサーや銀河全体の質量である。それで、クエーサーや銀河の中心の質量が太陽の質量の１０ｎ倍であるを、クエーサーや銀河の質量が太陽の質量の１０ｎ倍である、と訂正する。
例えば、銀河系の質量は６×１０１１太陽質量倍で、中心核のブラックホールは数百万太陽質量倍です。銀河系の質量は、中心核の約１０５倍です。
それで、ジェットが届く範囲から集まる原子数は、中心の質量の原子数ではなく、銀河系の質量の原子数です。
このように、ジェットが届く範囲から集まる原子数は、クエーサーや銀河の中心の質量の原子数ではなく、クエーサーや銀河の質量の原子数です。
【請求項２１】
地球でできた磁気帯や、太陽でできた磁気帯や、銀河でできた磁気帯はどのような働きをしているのか。
地球でできた地磁気は、太陽風のフレアーを阻止している。この地磁気は地球の中央でできたものです。
このような磁気帯は太陽にも銀河にもあるはずです。
【請求項２２】
地球の磁気帯はどのようにできるのか。磁気帯の軌道の距離はどのように求められるか。磁気帯のエネルギーの大きさはどのように理解できるか。磁気帯のエネルギーの強さはどのようであるか。
・地球の磁気帯はどのようにできるのか。
地球の中央でできた地磁気は、地球の両極から放出する。
地球の中央の温度は、Ａ２＝８５．６２＝７３２７．３６（℃）です。７．３２７＋２７３＝７６００（Ｋ）です。
この電磁気のエネルギーが放出する。
・磁気帯の軌道の距離はどのように求められるか。
地磁気は地球の半径の１０倍の軌道まで届く。
温度×ｘ＝磁気帯の軌道の距離
７３２７．３６（℃）×ｘ＝地球の半径×１０＝６．３７８×１０４Ｋｍ
ｘ＝６．３７８×１０４Ｋｍ÷７３２７．３６（℃）＝８．７Ｋｍ
よって、
磁気帯の軌道の距離＝温度×８．７Ｋｍ＝Ａ２×８．７Ｋｍ
磁気帯の軌道の距離は、温度×８．７Ｋｍ＝Ａ２×８．７Ｋｍ  の式で求められる。
・磁気帯のエネルギーの大きさはどのように理解できるか。
磁気帯のエネルギーの大きさは、磁気帯を作った場のＡによって理解できる。
磁気帯のエネルギーの大きさは、磁気帯を作った場のＡに比例する。
・磁気帯のエネルギーの強さはどのようであるか。
磁気帯のエネルギーの強さは、磁気帯を作る部分の元素の数×光子のエネルギーの大きさ＝磁気帯を作る部分の元素の数×磁気帯を作った場のＡ  に比例する。
【請求項２３】
地球でできる磁気帯は地球のどの部分でできるか。磁気帯のエネルギーの大きさはどのようであるか。磁気帯のエネルギーの強さはどのようであるか。
・地球でできる磁気帯は地球のどの部分でできるか。
太陽風や宇宙線から地球を守っている強いエネルギーの地磁気は、地球の中央でできた。
この事については「請求項２２」に記した。
バン・アレン帯の内帯は地上３０００Ｋｍから４０００Ｋｍにある。
バン・アレン帯の外帯は地上１万Ｋｍから２万Ｋｍにある。
地球の地殻の温度は８００Ｋです。
地球のマントルの温度は３０００Ｋです。
地球の核の温度は７６００Ｋです。
この事について考える。
磁気の軌道の距離は、温度×８．７Ｋｍ＝Ａ２×８．７Ｋｍの式によって、バン・アレン帯の内帯とバン・アレン帯の外帯を作っている地球の内部の温度を知る。
バン・アレン帯の外帯について。
バン・アレン帯の外帯を作っているのは、地球のマントルです。
その温度は、
温度×８．７Ｋｍ＝２００００Ｋｍ
温度＝２００００Ｋｍ÷８．７Ｋｍ＝２２９８．８５℃
２２９８．８５℃＋２７３＝２５７１．８５Ｋ  です。
この場のＡは、（２２９８．８５℃）１／２＝４７．９４６です。
バン・アレン帯の内帯について。
バン・アレン帯の内帯を作っているのは、地球の地殻です。
その温度は、
温度×８．７Ｋｍ＝４０００Ｋｍ
温度＝４０００Ｋｍ÷８．７Ｋｍ＝４５９．７７℃
４５９．７７℃＋２７３＝７３２．７７Ｋ  です。
この場のＡは、（４５９．７７℃）１／２＝２１．４４２です。
・磁気帯のエネルギーの大きさはどのようであるか。
磁気帯のエネルギーの大きさは、磁気帯を作った場のＡに比例する。
太陽風や宇宙線から地球を守っている地磁気のエネルギーの大きさ：バン・アレン帯の外帯のエネルギーの大きさ：バン・アレン帯の内帯のエネルギーの大きさ＝８５．６：４７．９４６：２１．４４２≒４：２．２：１
・磁気帯のエネルギーの強さはどのようであるか。
磁気帯のエネルギーの強さは、磁気帯を作る部分の元素の数×光子のエネルギーの大きさ＝磁気帯を作る部分の元素の数×磁気帯を作った場のＡ
太陽風や宇宙線から地球を守っている地磁気のエネルギーの強さ：バン・アレン帯の外帯のエネルギーの強さ：バン・アレン帯の内帯のエネルギーの強さ＝核の元素数×８５．６：マントルの元素数×４７．９４６：地殻の元素数×２１．４４２≒核の元素数×４：マントルの元素数×２．２：地殻の元素数×１
【請求項２４】
太陽から１４０億Ｋｍの軌道には、高エネルギー荷電粒子帯がある。この磁気帯は太陽の中のどこでできたか。太陽の中でできる磁気帯は太陽からどれ位離れた距離の軌道に存在するか。
・１４０億Ｋｍの軌道の高エネルギー荷電粒子帯は、太陽の中心でできた高エネルギーの磁気帯がここに存在する事を示す。
１．４×１０１０Ｋｍの高エネルギーの磁気帯は、太陽の中心でできた。
その温度は、
温度×８．７Ｋｍ＝１．４×１０１０Ｋｍ
温度＝１．４×１０１０Ｋｍ÷８．７Ｋｍ＝１．６０９×１０９℃です。
電磁気は１．６０９×１０９℃の場でできた。
この場のＡは、（１．６０９×１０９℃）１／２＝４．０１１×１０４です。
・太陽の中でできる磁気帯は太陽からどれ位離れた距離の軌道に存在するか。
太陽の表面温度は、６０００Ｋです。
太陽のコロナの温度は、１００万度です。
・太陽のコロナでできる磁気帯は、太陽からどれ位離れた距離の軌道に存在するか。
磁気帯の軌道の距離＝温度×８．７Ｋｍ＝１０６℃×８．７Ｋｍ＝８．７×１０６Ｋｍ
コロナのＡ＝（１０６℃）１／２＝１０３
太陽のコロナでできる磁気帯は、太陽から８．７×１０６Ｋｍの軌道にできる。
・太陽の表面温度でできる磁気帯は、太陽からどれ位離れた距離の軌道に存在するか。
磁気の軌道の距離＝温度×８．７Ｋｍ＝（６０００Ｋ−２７３）×８．７Ｋｍ＝４９８２５Ｋｍ
太陽の表面のＡ＝（６０００Ｋ−２７３）１／２＝５７２７１／２＝７５．６７７
太陽の表面温度でできる磁気帯は、太陽から約５万Ｋｍの軌道にできる。
この事によって理解できる事。
１．現在、太陽の中心のＡは、４×１０４です。
太陽の中心は、中性子星のＡ＝２．０２９×１０５からＡ＝４×１０４になった。
【請求項２５】
太陽の中心は、中性子星のＡ＝２．０２９×１０５からＡ＝４×１０４になった。これは何分の１に成ったのか。この事によって何がおきたか。
・太陽の中心は、中性子星のＡ＝２．０２９×１０５からＡ＝４×１０４になった。これは何分の１に成ったのか。
２．０２９×１０５÷（４×１０４）＝５
太陽の中心のエネルギーは５分の１に成った。
・この事によって何がおきたか。
私は、今まで、ブラックホールや中性子星のＡは、６．３５３分の１になった、それで、ジェットは止まった。と考えていました。
太陽はＡ＝２．０２９×１０５の中性子星からでき、現在、太陽の中心のＡは、４×１０４になった。
この事によって何がおきたか。
中性子星のジェットは、Ａ＝２．０２９×１０５の中性子星がＡ＝４×１０４になったので、止まったと考える。
このエネルギーの減少が核融合反応を起こす原因になった。
中性子星のジェット（Ａ＝２．０２９×１０５）→“核融合反応点火のジェット”→Ａ＝４×１０４→核融合反応（Ａ＝３．８７２×１０３）
【請求項２６】
銀河の中心でできる磁気帯は、銀河の中心からどれ位離れた距離の軌道に存在するか。
銀河の質量が太陽の質量のβ倍の銀河の中心のＡは、
銀河の中心のＡ＝太陽の中心のＡ（核融合の場のＡ）×１１．１７×β１／３＝３．８７２×１０３×１１．１７×β１／３＝４．３２５×１０４×β１／３です。この事は、２００７年８月２５日に提出した特願２００７−２４６１３９の「請求項２２」に記した。
銀河系の質量は、６０００億太陽倍ですから、銀河系の中心のＡは、
銀河系の中心のＡ＝４．３２５×１０４×（６×１０１１）１／３＝４．３２５×１０４×（０．６×１０１２）１／３＝４．３２５×１０４×０．８４５×１０４＝３．６５５×１０８
銀河系の中心の温度＝Ａ２＝（３．６５５×１０８）２＝１．３３６×１０１７℃
銀河系の中心でできる磁気帯は、銀河系の中心からどれ位離れた距離の軌道に存在するか。
磁気帯の軌道の距離＝温度×８．７Ｋｍ＝Ａ２×８．７Ｋｍ＝（３．６５５×１０８）２×８．７Ｋｍ＝１．１６２×１０１８Ｋｍ
この距離は何光年か。
１光年＝３６５×２４×６０×６０×３×１０５Ｋｍ＝９．４６×１０１２Ｋｍ
この距離は、１．１６２×１０１８Ｋｍ÷（９．４６×１０１２Ｋｍ）＝１．２２８×１０５光年です。
銀河系の中心でできる磁気帯は、銀河系の中心から１．２２８×１０５光年離れた軌道に存在する。
これは、半径１．２２８×１０５光年の球体に存在する磁気帯です。
太陽系の直径は、１０５光年ですから、磁気帯はこの周囲を包囲している。
これを一般式で表す。
銀河の質量が太陽の質量のβ倍である場合。
銀河の中心のＡは、
銀河の中心のＡ＝４．３２５×１０４×β１／３です。
この場でできる磁気帯の軌道の距離は、
磁気帯の軌道の距離＝温度×８．７Ｋｍ＝Ａ２×８．７Ｋｍ＝（４．３２５×１０４×β１／３）２×８．７Ｋｍ＝１．６２７×１０１０×β２／３Ｋｍです。
銀河の質量が太陽の質量のβ倍である場合、銀河の中心でできる磁気帯の軌道の距離は、１．６２７×１０１０×β２／３Ｋｍです。
まとめて表にする。
2008099552.tif 000017
この事によって理解できる事。
１．２００７年８月２５日に提出した特願２００７−２４６１３９の「請求項２２」に記したことは正しい。銀河の質量が太陽の質量のβ倍の銀河の中心のＡは、
銀河の中心のＡ＝太陽の中心のＡ（核融合の場のＡ）×１１．１７×β１／３＝３．８７２×１０３×１１．１７×β１／３＝４．３２５×１０４×β１／３です。
２．銀河の中心で作る磁気帯は、銀河の外側の軌道まで届き、銀河を包囲し、銀河を他の銀河から守っている。
【請求項２７】
銀河と銀河は非常に近い距離にあるのに衝突しないのはどうしてか。アンドロメダの場合はどうであるか。
銀河の中心でできる磁気帯は銀河を包囲している。
この事によって、銀河は磁気帯により守られている。
それで、銀河と銀河は影響を及ぼすことなく独立した状態を保つことができる。
・アンドロメダの場合はどうであるか。
アンドロメダの質量は、７０００億太陽質量です。β＝７×１０１１です。
磁気帯の軌道の距離は、１．６２７×１０１０×β２／３Ｋｍ＝１．６２７×１０１０×（７×１０１１）２／３Ｋｍ＝１．６２７×１０１０×（０．７×１０１２）２／３Ｋｍ＝１．６２７×１０１０×０．４９１１／３×１０８Ｋｍ＝１．６２７×１０１０×０．７９×１０８Ｋｍ＝１．２８５×１０１８Ｋｍ
これは何光年か。
１．２８５×１０１８Ｋｍ÷（９．４６×１０１２Ｋｍ）＝１．３５９×１０５光年
磁気帯の軌道はこの２倍ですから、２×１．３５９×１０５光年＝２．７１８×１０５光年です。
アンドロメダ銀河の直径は、１３万光年です。
それで、磁気帯はアンドロメダ銀河を包囲している。
【請求項２８】
地球の引力は月にまで及ぶ。太陽の引力はオールトの雲まで及ぶ。銀河の中心の引力は銀河の端の星まで及ぶ。これらの引力はどれ位の光子のエネルギーであるか。
宇宙の磁気帯は、電気の光子と磁気の光子でできている。なぜなら、電子のラブと陽子のラブは、自転しながら公転するので、磁気の光子と電気の光子は一緒にできるからです。
磁気帯は電磁気帯です。
引力は磁気の光子によってできるのですが、磁気の光子と電気の光子が一緒になっているので、引力を電気の光子のエネルギーとして計算する。電気の光子の軌道として計算する。
届く光子のエネルギー＝出発する光子のエネルギー×２×１０８ｍ÷（走った距離の軌道）＝出発する光子のエネルギー×２×１０８ｍ÷（走った距離×２）＝出発する光子のエネルギー×１０８ｍ÷走った距離
この式より、月に届く電気の光子のエネルギーと、オールトの雲に届く電気の光子のエネルギーと、銀河の端の星に届く電気の光子のエネルギーを調べる。
▲１▼月に届く電気の光子のエネルギーについて。
地球から出発する電気の光子の波長を青色とする。この理由は、「地球は青かった」からです。
青色の波長は４．５×１０−７ｍです。軌道は、２×４．５×１０−７ｍ＝９×１０−７ｍです。
この電気の光子１個のエネルギーは、
１０−４１Ｊｍ÷（９×１０−７ｍ）＝１．１１×１０−３５Ｊです。
月の軌道は、約地球の半径の６０倍ですから、
６０×地球の半径＝６０×６３７０Ｋｍ＝３．８２２×１０５Ｋｍです。
月に届く電気の光子１個のエネルギーは、
Ｅ＝１．１１×１０−３５Ｊ×１０８ｍ÷（３．８２２×１０５＋３ｍ）＝２．９０４×１０−３６Ｊです。
月に届く電気の光子２．９０４×１０−３６Ｊが引力になっている。
▲２▼オールトの雲に届く電気の光子のエネルギーについて。
太陽から出発する電気の光子の軌道は、１０−１０ｍで、エネルギーは、１０−３１Ｊです。
オールト雲の軌道は約１０１１Ｋｍです。
オールト雲に届く電気の光子１個のエネルギーは、
Ｅ＝１０−３１Ｊ×１０８ｍ÷１０１１＋３ｍ＝１０−３７Ｊです。
オールト雲に届く電気の光子１０−３７Ｊが引力になっている。
▲３▼銀河の端の星に届く電気の光子のエネルギーについて。
銀河から出発する電気の光子の軌道は、電子のラブの軌道と同じです。
銀河系の中心のＡは、Ａ＝３．６５５×１０８ですから、電子のラブの公転軌道は、
１０−１０ｍ÷Ａ＝１０−１０ｍ÷（３．６５５×１０８）＝２．７３６×１０−１９ｍです。
この電気の光子１個のエネルギーは、
１０−４１Ｊｍ÷（２．７３６×１０−１９ｍ）＝３．６５５×１０−２３Ｊです。
銀河の端の星の軌道は、約５×１０４光年ですから、
５×１０４光年×９．４６×１０１２Ｋｍ＝４．７３×１０１７Ｋｍです。
銀河の端の星に届く電気の光子１個のエネルギーは、
Ｅ＝３．６５５×１０−２３Ｊ×１０８ｍ÷（４．７３×１０１７＋３ｍ）＝７．７２７×１０−３６Ｊです。
銀河の端の星に届く電気の光子７．７２７×１０−３６Ｊが引力になっている。
この事から理解できる事
１．月の軌道に届く電気の光子２．９０４×１０−３６Ｊが引力になっている。
オールト雲の軌道に届く電気の光子１０−３７が引力になっている。
銀河の端の星の軌道に届く電気の光子７．７２７×１０−３６Ｊが引力になっている。
２．７．７２７×１０−３６Ｊから１０−３７Ｊまでの電気の光子が引力に成っている。
３．この電気の光子の軌道は、約１０−４１Ｊｍ÷１０−３７Ｊ＝１０−４ｍです。１０−４ｍまでの電磁気が引力に成っている。
【請求項２９】
天王星、海王星に届く電気の光子の軌道（波長）はどれ位か。
太陽から出発する電気の光子の軌道は１０−１０ｍで、エネルギーは１０−３１Ｊです。
天王星の軌道は、２８．７５０×１０８Ｋｍです。
海王星の軌道は、４５．０４４×１０８Ｋｍです。
天王星の軌道に届く電気の光子のエネルギーは、
Ｅ＝１０−３１Ｊ×１０８ｍ÷（２８．７５０×１０８＋３ｍ）＝３．４７８×１０−３６Ｊです。
この軌道は、
１０−４１Ｊｍ÷（３．４７８×１０−３６Ｊ）＝２．８７５×１０−６ｍ
この波長は、２×２．８７５×１０−６ｍ＝５．７５×１０−６ｍ
海王星の軌道に届く電気の光子のエネルギーは、
Ｅ＝１０−３１Ｊ×１０８ｍ÷（４５．０４４×１０８＋３ｍ）＝２．２２×１０−３６Ｊです。
この軌道は、
１０−４１Ｊｍ÷（２．２２×１０−３６Ｊ）＝４．５０５×１０−６ｍ
この波長は、２×４．５０５×１０−６ｍ＝９．０１×１０−６ｍ
天王星の軌道に届く電気の光子の波長は、５．７５×１０−６ｍで、赤外線です。
海王星の軌道に届く電気の光子の波長は、９．０１×１０−６ｍで、赤外線です。
この光子によって軌道は暖められる。それで、ダークマターは水素に成る。
この事によって理解できる事。
１．中性子星の時代、ダークマターと、爆発した第１世代の星の元素が存在した。
２．ダークマターが水素に成ったのは、太陽の中心で、核融合反応が起き、太陽から光子が放出し輝きだした時からです。
３．ダークマターは、太陽から放出する電気の光子に暖められて水素に成った。
４．惑星ができたのは、太陽の中心で核融合反応がおき、ダークマターが赤外線で暖められ、水素に成った時からです。
【請求項３０】
太陽系はどのようにできたか。
▲１▼第１世代の星の中心にあった中性子星が太陽の基になった。
▲２▼中性子星から噴出するジェットにより、エッジワース・カイパーベルトができた。
▲３▼ダークマターは中性子星に引かれ集まった。
▲４▼中性子星に水素がプラスされた。
▲５▼太陽の質量ができた。
▲６▼太陽の中心で、“核融合反応の点火のジェット”が噴出した。
▲７▼ジェットは火星の軌道に届き、そこに小惑星を作った。
▲８▼太陽のジェットは消え、核融合反応がおき、光子が放射され、太陽は輝いた。
▲９▼太陽から放射される電気の光子により、空間は暖められ、ダークマターは水素に成った。
▲１０▼軌道の体積の空間は縮小し、惑星ができた。
【発明の詳細な説明】
【技術分野】
【０００１】  この発明は、太陽の形成に関する。惑星の形成に関する。小惑星の形成に関する。太陽の親である第１世代の星の元素の飛散に関する。地球、太陽、銀河の磁気帯に関する。地球、太陽、銀河の引力に関する。
【背景技術】
【０００２】  太陽系の形成過程は次のように理解されている。
１．星間雲の存在、２．星間雲の収縮、３．原始太陽系円盤の誕生、４．微惑星の形成、５．原子惑星の形成、６．惑星の完成、７．現在の太陽系。
１．原始太陽の周りに、太陽質量の１００分の１程度のガス円盤（少量のちりも含む）が形成される。２．ガス円盤の中で固体成分が凝縮し、微惑星が形成される。３．微惑星どうしの合体と衝突により、原子惑星（固体惑星）が形成される。４．円盤の外側の領域では、原子惑星が地球の質量の約１０倍に達し、そこに円盤のガスが流入して、木星と土星が形成される。５．ガス円盤は数千万年程度で消失するため、成長の遅い天王星と海王星は土星や木星ほど巨大になりきれなかった。
【発明の開示】
太陽の第１世代の星の元素は、太陽に集まらなかったのはどうしてか。太陽の質量は１番大きく引力は大きい。第１世代の星の元素はその周囲に飛散した。それなのに、太陽には第１世代の星の元素は集まらなかった。
どうして、太陽には水素がたくさん集まったのか。
第１世代の星の元素は、どのように球状に飛散したのか。
元素たちが飛散した軌道に惑星ができた。
惑星の体積はどのように決定されたか。
惑星はどのようにできたか。
【発明が解決しようとする課題】
【０００３】１．太陽には、どうして太陽の第１世代の星の中でできた元素が集まらなかったのか。
２．中性子星に集まってきたのは、水素雲だったのか、それともダークマターだったのか。
３．太陽ができた時、ダークマターは、中性子星のジェットが届く範囲から集まった。この時、１ｍ３にどれだけのダークマターが存在したか。
４．惑星ができた時、惑星の軌道には１ｍ３に何個の原子が存在したか。
５．太陽の親である第１世代の星の元素はどこまで飛んだか。
６．どうして土星の密度は小さいのか。どうして天王星の密度は海王星の密度より小さいのか。
７．土星の水素とヘリュウムの割合はどれ位か。
８．海王星ができた軌道（１０−１４ｍの時代で、１ｍ３の原子数が１．４×１０１４個の軌道）の、水素とヘリュウムの割合はどれ位か。
９．火星と木星の間の小惑星の総合質量はいくらか。
１０．小惑星と火星ができた時、どちらが先にできたか。
１１．ジェットには２種類あります。１つは、ブラックホールや中性子星でできるジェットです。１つは、核融合反応がおきる以前にできるジェットです。このジェットの名を“核融合反応の点火のジェット”と名づけます。
１２．小惑星はどうしてまとまって１つの大きな惑星にならなかったのか。
１３．惑星ができた軌道はどれ位収縮したか。
１４．１ｍ３の原子数と収縮率は比例します。この式を、１ｍ３の原子数×収縮率定数＝収縮率  の式で現すと収縮率定数はいくらになるか。
１５．地球型惑星とガス型惑星はどのようにできるか。
１６．惑星の体積＝惑星ができた軌道の体積×惑星ができた軌道の１ｍ３の原子数×収縮率定数  の式より、できた惑星の密度を求める。惑星の密度は何によって決定されるか。
１７．惑星の収縮率定数とは何か。
１８．惑星の質量はどのように決定されたか。
１９．太陽ができた時、太陽の水素はジェット噴射が届く範囲から集まった。その時、１ｍ３に、何個の原子が存在したか。
２０．私は、今まで、クエーサーや銀河の中心の質量が太陽の質量の１０ｎ倍である。この質量は、ジェットが届く範囲から集まるとして、１ｍ３の原子数を計算した。しかし、ジェットが届く範囲から集まる原子数は、クエーサーや銀河の中心の質量だけではなく、クエーサーや銀河全体の質量である。それで、クエーサーや銀河の中心の質量が太陽の質量の１０ｎ倍であるを、クエーサーや銀河の質量が太陽の質量の１０ｎ倍である、と訂正する。
２１．地球でできた磁気帯や、太陽でできた磁気帯や、銀河でできた磁気帯はどのような働きをしているのか。
２２．地球の磁気帯はどのようにできるのか。磁気帯の軌道の距離はどのように求められるか。磁気帯のエネルギーの大きさはどのように理解できるか。磁気帯のエネルギーの強さはどのようであるか。
２３．地球でできる磁気帯は地球のどの部分でできるか。磁気帯のエネルギーの大きさはどのようであるか。磁気帯のエネルギーの強さはどのようであるか。
２４．太陽から１４０億Ｋｍの軌道には、高エネルギー荷電粒子帯がある。この磁気帯は太陽の中のどこでできたか。太陽の中でできる磁気帯は太陽からどれ位離れた距離の軌道に存在するか。
２５．太陽の中心は、中性子星のＡ＝２．０２９×１０５からＡ＝４×１０４になった。これは何分の１に成ったのか。この事によって何がおきたか。
２６．銀河の中心でできる磁気帯は、銀河の中心からどれ位離れた距離の軌道に存在するか。
２７．銀河と銀河は非常に近い距離にあるのに衝突しないのはどうしてか。アンドロメダの場合はどうであるか。
２８．地球の引力は月にまで及ぶ。太陽の引力はオールトの雲まで及ぶ。銀河の中心の引力は銀河の端の星まで及ぶ。これらの引力はどれ位の光子のエネルギーであるか。
２９．天王星、海王星に届く電気の光子の軌道（波長）はどれ位か。
３０．太陽系はどのようにできたか。
【発明を解決するための手段】
【０００４】１．太陽系の形成について、太陽の第１世代の星の元素が、球状に飛散した状態から考える。
中央には中性子星がある。この中性子星の原子たちが電気の光子と磁気の光子を作る。この光子達がジェットとなり噴出した。このジェットによりカイパーベルトの小惑星ができた。
又、中性子星から、電気の光子と磁気の光子が放射された。この電気の光子と磁気の光子は、ダークマターを活性化した。
中性子星の電子のラブの公転により電気の光子ができ、自転により磁気の光子ができる。中性子星の電子のラブの公転軌道により電気の光子の軌道を算出する。
ダークマターの自転の軌道を算出する。
電気の光子はダークマターを取り囲み、ダークマターを活性化し、ダークマターは中性子星に集まる。そこで、ダークマターは暖められ、水素に成った。
２．惑星の形成について、太陽の第１世代の星の元素が球状に飛散した状態から考える。惑星は、球状だった軌道が収縮したと考える。
【発明の実施態様】
【０００５】１．  太陽には、どうして太陽の第１世代の星の中でできた元素が集まらなかったのか。
太陽の第１世代の星が爆発した後には、たくさんの元素が飛散しました。それで、太陽にもたくさんの種類の元素が集まるはずです。それなのに、太陽（その時は中性子星でした。）には、第１世代の星の中でできた元素は集まりませんでした。どうしてでしょうか。
第１世代の星の中でできた元素は、２重層に成っていて、中性子が半分ずつ外側と内側に成っていました。爆発後、−２７３℃の空間に出たので、軌道は大きくなりました。外側の中性子は、陽子のラブと電子のラブに成りました。電子のラブの公転軌道は、約１０−９ｍに成りましたけれども、中央に中性子のラブと陽子のラブがあるので、それに引かれてもっと小さく成っています。
爆発後の元素は元素のまま存在します。
元素の中の電子のラブと陽子のラブと中性子のラブは、自転しながら公転しています。
電子のラブの公転軌道は、１０−１０ｍから１０−９ｍです。
中性子星の電子のラブの公転軌道は、
１．０５８×１０−１０ｍ÷中性子星のＡ＝１．０５８×１０−１０ｍ÷（２．０２８×１０５）＝５．２１７×１０−１６ｍです。
中性子星の電子のラブの公転によって、電気の光子ができました。
その電気の光子の軌道は、５．２１７×１０−１６ｍです。
軌道の大きさがかけ離れているので、中性子星の電子のラブでできた光子は元素には作用しません。
それで、中性子星には元素は集まらなかった。
２．  中性子星に集まってきたのは、水素雲だったのか、それともダークマターだったのか。
中性子星の電子のラブの公転軌道は、
１．０５８×１０−１０ｍ÷（２．０２８×１０５）＝５．２１７×１０−１６ｍです。
ダークマターの電子のラブの公転軌道は、
１０−１０ｍ×２７３℃１／２＝１０−１０ｍ×１６．５２＝１．６５２×１０−９ｍで、
自転軌道は、１．６５２×１０−９−８ｍ＝１．６５２×１０−１７ｍです。
ダークマターは公転せず自転しています。
水素雲の水素の公転軌道は、
１０−１０ｍ×２６０℃１／２＝１０−１０ｍ×１６．１２＝１．６１２×１０−９ｍです。
しかし、水素雲は水素ですから、電子のラブと陽子のラブは単独で自転しません。
水素の外側は電子のラブの公転軌道です。
中性子星の電子のラブの公転によって、電気の光子ができました。
その電気の光子の軌道は、５．２１７×１０−１６ｍです。
それで、ほぼ同じ軌道で自転しているダークマターを包み込み活性化しました。
活性化したダークマターと中性子星の電子のラブはほぼ同じ軌道なので引き合いました。
この事によって、中性子星にはダークマターが集まりました。
水素雲は水素なので、電子のラブと陽子のラブは単独で自転できないので、これには、中性子星でできた電気の光子は作用できません。
即ち、中性子星に集まったのは、ダークマターであり、水素雲ではありません。
中性子星に集まったダークマターが、熱で暖められ、−２６０℃になり水素雲に成りました。
３．  太陽ができた時、ダークマターは、中性子星のジェットが届く範囲から集まった。この時、１ｍ３にどれだけのダークマターが存在したか。
１Ｋｇの原子数は、６×１０２６個です。
太陽の原子数は、太陽の質量×６×１０２６個＝１．９８９×１０３０Ｋｇ×６×１０２６個＝１．１９３４×１０５７個です。
この原子がダークマターの状態で集められました。
ジェットが届いた範囲の半径は、太陽の半径×８４９×中性子星のＡ÷太陽の核融合反応をする場のＡ＝６．９６×１０５Ｋｍ×８４９×２．０２９×１０５÷（３．８７２×１０３）＝３．０９６×１０１０Ｋｍです。
この体積は、４π÷３×（３．０９６×１０１３ｍ）３＝１．２４２×１０４１ｍ３です。
１ｍ３に存在したダークマターは、
１．１９３４×１０５７個÷（１．２４２×１０４１ｍ３）≒１０１６個です。
太陽ができた場は、１０−１４ｍの時代で、１ｍ３の原子数が１０１６個である軌道です。
４．  惑星ができた時、惑星の軌道には１ｍ３に何個の原子が存在したか。
但し、惑星の軌道は、惑星と惑星の距離の１／２とし、そこに存在する原子が惑星になったとする。
▲１▼惑星の軌道の距離と惑星の軌道の体積はいくらか。
惑星の軌道は、例えば、地球の場合。
地球の軌道の外側の距離＝（地球の距離−金星の距離）÷２＋地球の距離
地球の軌道の内側の距離＝金星の軌道の外側の距離
金星の軌道の外側の距離＝（金星の距離−水星の距離）÷２＋金星の距離
地球の軌道の距離＝地球の軌道の外側の距離−地球の軌道の内側の距離＝（地球の距離−金星の距離）÷２＋地球の距離−｛（金星の距離−水星の距離）÷２＋金星の距離｝＝地球の距離×１．５−金星の距離×２＋水星の距離÷２
地球の軌道の体積＝地球の軌道の外側の体積−地球の軌道の内側の体積＝４π／３×地球の軌道の外側の距離３−４π／３×地球の軌道の内側の距離３＝４π／３×｛（地球の軌道の外側の距離３−地球の軌道の内側の距離３）｝
即ち、惑星がＫ、Ｌ、Ｍの順に並んでいるとすると、
Ｍの軌道の距離＝Ｍの距離×１．５−Ｌの距離×２＋Ｋの距離÷２  です。
Ｍの軌道の体積＝４π／３×｛（Ｍの距離−Ｌの距離）÷２＋Ｍの距離｝３−４π／３×｛（Ｌの距離−Ｋの距離）÷２＋Ｌの距離｝３＝４π／３×〔｛（Ｍの距離−Ｌの距離）÷２＋Ｍの距離｝３−｛（Ｌの距離−Ｋの距離）÷２＋Ｌの距離｝３〕です。
この式により惑星の軌道の距離と惑星の軌道の体積を求める。
水星の場合。
水星の軌道の距離＝水星の距離×１．５＝０．５７９×１０１１ｍ×１．５＝０．８６８５×１０１１ｍ
水星の軌道の体積＝４π／３（水星の距離÷２＋水星の距離）３−４π／３（水星の距離÷２）３＝４π／３｛（０．５７９×１０１１ｍ÷２＋０．５７９×１０１１ｍ）３−（０．５７９×１０１１ｍ÷２）３｝＝４π／３（０．６５５×１０３３ｍ３−０．０２４２×１０３３ｍ３）＝２．６４１×１０３３ｍ３
金星の場合。
金星の軌道の距離＝｛（金星の距離−水星の距離）÷２＋金星の距離｝−（水星の距離÷２＋水星の距離）＝金星の距離×１．５−水星の距離×２＝１．０２８×１０１１ｍ×１．５−０．５７９×１０１１ｍ×２＝０．３８４×１０１１ｍ
金星の軌道の体積＝４π／３〔｛（金星の距離−水星の距離）÷２＋金星の距離｝３−（水星の距離÷２＋水星の距離）３〕＝４π／３｛（１．０２８×１０１１ｍ−０．５７９×１０１１ｍ）÷２＋１．０８２×１０１１ｍ｝｝３−（０．５７９×１０１１ｍ×１．５）３｝＝４π／３（２．３７１×１０３３ｍ３−０．６５５×１０３３ｍ３）＝７．１８５×１０３３ｍ３
地球の場合。
地球の軌道の距離＝地球の距離×１．５−金星の距離×２＋水星の距離÷２＝１．４９６×１０１１ｍ×１．５−１．０８２×１０１１ｍ×２＋０．５７９×１０１１ｍ÷２＝０．３６９５×１０１１ｍ
地球の軌道の体積＝４π／３×〔｛（１．４９６×１０１１ｍ−１．０８２×１０１１ｍ）÷２＋１．４９６×１０１１ｍ｝３−｛（１．０８２×１０１１ｍ−０．５７９×１０１１ｍ）÷２＋１．０８２×１０１１ｍ｝３〕＝４π／３×｛（１．７０３×１０１１ｍ）３−（１．３３３５×１０１１ｍ）３｝＝４π／３×（４．９３９×１０３３ｍ３−２．３７１×１０３３ｍ３）＝１０．７５２×１０３３ｍ３
火星の場合。
火星の軌道の距離＝火星の距離×１．５−地球の距離×２＋金星の距離÷２＝２．２７９×１０１１ｍ×１．５−１．４９６×１０１１ｍ×２＋１．０８２×１０１１ｍ÷２＝０．９６７５×１０１１ｍ
火星の軌道の体積＝４／３・π×〔｛（２．２７９×１０１１ｍ−１．４９６×１０１１ｍ）÷２＋２．２７９×１０１１ｍ｝３−｛（１．４９６×１０１１ｍ−１．０８２×１０１１ｍ）÷２＋１．４９６×１０１１ｍ｝３〕＝４／３・π｛（２．６７０５×１０１１ｍ）３−（１．７０３×１０１１ｍ）３｝＝４／３π（１９．０４５×１０３３ｍ３−４．９３９×１０３３ｍ３）＝５９．０５７×１０３３ｍ３
木星の場合。
木星の軌道の距離＝木星の距離×１．５−火星の距離×２＋地球の距離÷２＝７．７８３×１０１１ｍ×１．５−２．２７９×１０１１ｍ×２＋１．４９６×１０１１ｍ÷２＝７．８６４５×１０１１ｍ
木星の軌道の体積＝４／３・π×〔｛（７．７８３×１０１１ｍ−２．２７９×１０１１ｍ）÷２＋７．７８３×１０１１ｍ｝３−｛（２．２７９×１０１１ｍ−１．４９６×１０１１ｍ）÷２＋２．２７９×１０１１ｍ｝３〕＝４／３・π×｛（１０．５３５×１０１１ｍ）３−（２．６７０５×１０１１ｍ）３｝＝４／３・π（１１６９．２４×１０３３ｍ３−１９．０４５×１０３３ｍ３）＝４８１５．４８×１０３３ｍ３
土星の場合。
土星の軌道の距離＝土星の距離×１．５−木星の距離×２＋火星の距離÷２＝１４．２９４×１０１１ｍ×１．５−７．７８３×１０１１ｍ×２＋２．２７９×１０１１ｍ÷２＝７．０１４５×１０１１ｍ
土星の軌道の体積＝４／３・π×〔｛（１４．２９４×１０１１ｍ−７．７８３×１０１１ｍ）÷２＋１４．２９４×１０１１ｍ｝３−｛（７．７８３×１０１１ｍ−２．２７９×１０１１ｍ）÷２＋７．７８３×１０１１ｍ｝３〕＝４／３・π×｛（１７．５４９５×１０１１ｍ）３−（１０．５３５×１０１１ｍ）３｝＝４／３・π×（５４０４．９８×１０３３ｍ３−１１６９．２４×１０３３ｍ３）＝１７７３３×１０３３ｍ３
天王星の場合。
天王星の軌道の距離＝天王星の距離×１．５−土星の距離×２＋木星の距離÷２＝２８．７５０×１０１１ｍ×１．５−１４．２９４×１０１１ｍ×２＋７．７８３×１０１１ｍ÷２＝１８．４２８５×１０１１ｍ
天王星の軌道の体積＝４／３・π×〔｛（２８．７５０×１０１１ｍ−１４．２９４×１０１１ｍ）÷２＋２８．７５０×１０１１ｍ｝３−｛（１４．２９４×１０１１ｍ−７．７８３×１０１１ｍ）÷２＋１４．２９４×１０１１ｍ｝３〕＝４／３・π×｛（３５．９７８×１０１１ｍ）３−（１７．５４９５×１０１１ｍ）３｝＝４／３・π×（４６５７０．５１×１０３３ｍ３−５４０４．９８×１０３３ｍ３）＝１７２３４６×１０３３ｍ３
海王星の場合。
海王星の軌道の距離＝海王星の距離×１．５−天王星の距離×２＋土星の距離÷２＝４５．０４４×１０１１ｍ×１．５−２８．７５０×１０１１ｍ×２−１４．２９４×１０１１ｍ÷２＝１７．２１３×１０１１ｍ
海王星の軌道の体積＝４／３π×〔｛（４５．０４４×１０１１ｍ−２８．７５０×１０１１ｍ）÷２＋４５．０４４×１０１１ｍ｝３−｛（２８．７５０×１０１１ｍ−１４．２９４×１０１１ｍ）÷２＋２８．７５０×１０１１ｍ｝３〕＝４／３π×｛（５３．１９１×１０１１ｍ）３−（３５．９７８×１０１１ｍ）３｝＝４／３π×（１５０４９２．３６×１０３３ｍ３−４６５７０．５×１０３３ｍ３）＝４３５０８６×１０３３ｍ３
▲２▼惑星の原子数はいくらか。
１Ｋｇの原子数は、６×１０２６個です。
地球の質量は、５．９７４×１０２４Ｋｇです。
惑星の原子数＝６×１０２６個×５．９７４×１０２４Ｋｇ×地球の質量を１とする惑星の質量
水星の場合。
水星の質量は、地球の質量の０．０５５２７倍です。
水星の原子数＝６×１０２６個×５．９７４×１０２４Ｋｇ×０．０５５２７＝１．９８１×１０５０個
金星の場合。
金星の質量は、地球の質量の０．８１５０倍です。
金星の原子数＝６×１０２６個×５．９７４×１０２４Ｋｇ×０．８１５＝２．９２１×１０５１個
地球の場合。
地球の原子数＝６×１０２６個×５．９７４×１０２４Ｋｇ＝３．５８４×１０５１個
火星の場合。
火星の質量は、地球の質量の０．１０７４倍です。
火星の原子数＝６×１０２６個×５．９７４×１０２４Ｋｇ×０．１０７４＝３．８５×１０５０個
木星の場合。
木星の質量は、地球の質量の３１７．８３倍です。
木星の原子数＝６×１０２６個×５．９７４×１０２４Ｋｇ×３１７．８３＝１．１３９×１０５４個
土星の場合。
土星の質量は、地球の質量の９５．１６倍です。
土星の原子数＝６×１０２６個×５．９７４×１０２４Ｋｇ×９５．１６＝３．４１１×１０５３個
天王星の場合。
天王星の質量は、地球の質量の１４．５４倍です。
天王星の原子数＝６×１０２６個×５．９７４×１０２４Ｋｇ×１４．５４＝５．２１２×１０５２個
海王星の場合。
海王星の質量は、地球の質量の１７．１５倍です。
海王星の原子数＝６×１０２６個×５．９７４×１０２４Ｋｇ×１７．１５＝６．１４７×１０５２個
▲３▼惑星ができた時、惑星の軌道には１ｍ３に何個の原子が存在したか。
惑星の軌道に存在した原子が全て集まり、惑星の質量に成ったとする。
水星の場合。
水星の軌道の体積２．６４１×１０３３ｍ３に、水星の原子１．９８１×１０５０個が存在した。
１ｍ３に存在した原子数は、１．９８１×１０５０個÷（２．６４１×１０３３ｍ３）＝７．５０１×１０１６個です。
金星の場合。
金星の軌道の体積７．１８５×１０３３ｍ３に、金星の原子２．９２１×１０５１個が存在した。
１ｍ３に存在した原子数は、２．９２１×１０５１個÷（７．１８５×１０３３ｍ３）＝４．０６５×１０１７個です。
地球の場合。
地球の軌道の体積１０．７５２×１０３３ｍ３に、地球の原子３．５８４×１０５１個が存在した。
１ｍ３に存在した原子数は、３．５８４×１０５１個÷（１０．７５２×１０３３ｍ３）＝３．３３３×１０１７個です。
火星の場合。
火星の軌道の体積５９．０５７×１０３３ｍ３に、火星の原子３．８５×１０５０個が存在した。
１ｍ３に存在した原子数は、３．８５×１０５０個÷（５９．０５７×１０３３ｍ３）＝６．５１９×１０１５個です。
木星の場合。
木星の軌道の体積４８１５．４８×１０３３ｍ３に、木星の原子１．１３９×１０５４個が存在した。
１ｍ３に存在した原子数は、１．１３９×１０５４個÷（４８１５．４８×１０３３ｍ３）＝２．３６５×１０１７個です。
土星の場合。
土星の軌道の体積１７７３３×１０３３ｍ３に、土星の原子３．４１１×１０５３個が存在した。
１ｍ３に存在した原子数は、３．４１１×１０５３個÷（１７７３３×１０３３ｍ３）＝１．９２３×１０１６個です。
天王星の場合。
天王星の軌道の体積１７２３４６×１０３３ｍ３に、天王星の原子５．２１２×１０５２個が存在した。
１ｍ３に存在した原子数は、５．２１２×１０５２個÷（１７２３４６×１０３３ｍ３）＝３．０２４×１０１４個です。
海王星の場合。
海王星の軌道の体積４３５０８６×１０３３ｍ３に、海王星の原子６．１４７×１０５２個が存在した。
１ｍ３に存在した原子数は、６．１４７×１０５２個÷（４３５０８６×１０３３ｍ３）＝１．４１３×１０１４個です。
この事を表にします。
2008099552.tif 000003
2008099552.tif 000004
５．  太陽の親である第１世代の星の元素はどこまで飛んだか。
惑星達ができる時、
水星ができた軌道には、１ｍ３に、７．５０１×１０１６個の原子が存在した。
金星ができた軌道には、１ｍ３に、４．０６５×１０１７個の原子が存在した。
地球ができた軌道には、１ｍ３に、３．３３３×１０１７個の原子が存在した。
火星ができた軌道には、１ｍ３に、６．５１９×１０１４個の原子が存在した。
木星ができた軌道には、１ｍ３に、２．３６５×１０１７個の原子が存在した。
土星ができた軌道には、１ｍ３に、１．９２３×１０１６個の原子が存在した。
天王星ができた軌道には、１ｍ３に、３．０２４×１０１４個の原子が存在した。
海王星ができた軌道には、１ｍ３に、１．４１３×１０１４個の原子が存在した。
１．火星ができた軌道に１ｍ３の原子数が少ないのは、火星ができた軌道に小惑星ができていたので、その分火星になった原子数は少ないことを示す。
火星の軌道の原子数＝火星の原子数＋小惑星の総合の原子数です。
２．水星、金星、地球、火星の密度は大きい。この事は、第１世代の中でできた重い元素は、中性子星に近い距離に飛んだことを示す。水星、金星、地球、火星までの球体の軌道に飛んだことを示す。
３．木星の密度は、１．３３であり、太陽の密度は１．４１である。この事は、木星は太陽と同じ水素とヘリュウムでできている。
木星の１ｍ３の原子数が金星、地球とほぼ同じである事は、第１世代の星の外側の水素とヘリュウムは木星の球体の軌道まで飛んできたことを示す。
４．土星の密度は０．６９であり、水素が存在する割合が大きい。第１世代の星の最も外側に存在した水素は、土星の球体の軌道まで飛んだ事を示す。
５．天王星と海王星の元素は、第１世代の星が爆発し飛んだ元素ではない事を示す。
６．第１世代の星の中でできた重い元素は、火星までの距離、半径２．２７８×１０１１ｍの球体まで飛んだ。第１世代の星の外側に存在した水素とヘリュウムは、木星の距離、半径７．７８３×１０１１ｍの球体まで飛んだ。第１世代の星の最も外側に存在していた水素は、土星の距離、半径１４．２９４×１０１１ｍの球体のまで飛んだ。１部天王星まで飛んだ。
７．天王星と海王星は、１ｍ３の原子数が約１０１４個である軌道でできた。
６．  どうして土星の密度は小さいのか。どうして天王星の密度は海王星の密度より小さいのか。
土星の密度が０．６９であり、太陽や木星の約１／２です。この事は土星の軌道には、水素が多かったことを示す。
質量は地球の質量の９５．１６倍もあるのに、密度は太陽や木星の約１／２ですから、土星はほぼ水素でできている。
これは、ダークマターが水素に成ったものです。（これは「請求項５」の４とは別の考えです。）
第１世代の星の爆発により、第１世代の星の元素が飛び出しました。
それで、水星から木星までのダークマターの１部が押され、土星の軌道に押し出された。
それで、土星の軌道には、ダークマターが多かった。土星の軌道には水素が多かった。
その余波を受けて、押されたダークマターは天王星の軌道までやってきた。
天王星の１ｍ３の原子数は、海王星の１ｍ３の原子数より多い。多い分が水素である。
天王星の水素の割合が、海王星の水素の割合より大きいので、天王星の密度は海王星の密度より小さい。
天王星の質量は海天星の質量より少ないのに、天王星の体積は海天星の体積より大きい。
７．  土星の水素とヘリュウムの割合はどれ位か。
土星の密度は０．６９で、太陽は１．４１で、木星は１．３３です。
土星の密度は、太陽や木星の約１／２です。水素とヘリュウムの質量の比は１：２です。
土星の水素を１とし、ヘリュウムをｘとすると、その質量は、１＋２ｘです。
太陽と木星の質量は１＋２＝３です。
密度は、１．５：３ですから、１＋２ｘ：３＝１．５：３  ｘ＝０．２５
よって、土星の水素とヘリュウムの割合は１：０．２５＝１００：２５です。
８．  海王星ができた軌道（１０−１４ｍの時代で、１ｍ３の原子数が１．４×１０１４個の軌道）の、水素とヘリュウムの割合はどれ位か。
天王星の１ｍ３の原子数は３．０２４×１０１４個です。海王星の１ｍ３の原子数は１．４１３×１０１４個です。
天王星の１ｍ３の原子数は、海王星の１ｍ３の原子数より、約１．５×１０１４個多いです。
この多い分が、押し寄せてきたダークマターである水素です。
よって、天王星の軌道１ｍ３の中には、１．５×１０１４個の水素と、１．５×１０１４個のＨｅ＋Ｈ２が存在する。この質量は、１×０．５＋３×０．５＝２です。
海王星の軌道１ｍ３の中には、１．４×１０１４個のＨｅ＋Ｈ２が存在する。この質量は、３です。
天王星の密度：海王星の密度＝２：３＝１．２７：ｘ  ｘ＝１．９
しかし、海王星の密度は、１．９ではなく、１．６４です。
これは、海王星のＨ２：Ｈｅは１：１ではない事を示す。
Ｈ２：Ｈｅを１：ｙとすると、
その質量は、１＋２ｙ＝１．６４  ｙ＝０．３２
Ｈ２を１とすると、Ｈｅは０．３２です。
海王星ができた軌道（１０−１４ｍの時代で、１ｍ３の原子数が１．４×１０１４個の軌道）の、水素とヘリュウムの割合は、１：０．３２です。
この事から理解できる事。
１．海王星ができた軌道には、太陽の第１世代の星の元素が飛んでこなかった。それで、海王星ができた軌道は、ビッグバンの後の状態がそのまま残っている。
海王星のができた軌道の状態は、宇宙の１０−１４ｍの時代で、１ｍ３の原子数が１．４×１０１４個の軌道の様子を示している。
即ち、宇宙の１０−１４ｍの時代で、１ｍ３の原子数が１．４×１０１４個の軌道の水素とヘリュウムの割合は１：０．３２＝１００：３２であった。
ビッグバンの後、水素とヘリュウムの割合は１：０．３２＝１００：３２であった。
９．  火星と木星の間の小惑星の総合質量はいくらか。
第１世代の星の元素は木星の軌道の球体まで飛んだ。
それで、火星の軌道にも、１ｍ３の原子数は約３×１０１７個であるはずです。
火星の軌道の体積に、１ｍ３の原子数は約３×１０１７個であった。
火星の軌道の体積にあった原子数は、
火星の軌道の体積×３×１０１７個＝５９．０５７×１０３３ｍ３×３×１０１７個＝１．７７×１０５２個です。
このうち火星になった原子数は、３．８５×１０５０個ですから、小惑星になった原子数は、合計で、
１．７７×１０５２個−３．８５×１０５０個＝１．７３×１０５２個です。
この質量は、
１．７３×１０５２個×１原子の質量＝１．７３×１０５２個×１．６６０６×１０−２７Ｋｇ＝２．８７×１０２５Ｋｇです。
小惑星の総合質量は２．８７×１０２５Ｋｇです。
１０．  小惑星と火星ができた時、どちらが先にできたか。
火星の軌道に小惑星と火星ができました。
はたして、小惑星が先にできたのか。火星が先にできたのか。
この事は、火星の質量が他の惑星と比較すると非常に小さい事から、その場に、先に小惑星ができていた、と考えられる。
地球の質量を１とするとき、水星は０．０５５２７．金星は０．８１５０、地球は１、火星は０．１０７４、木星は３１７．８３、土星は９５．１６、天王星は１４．５４、海王星は１７．１５です。
第１世代の星が爆発し、その元素が存在した空間に惑星ができた。その条件は、惑星ができる時同じだった。中性子星から遠くなる程、惑星の質量は大きくなっている。それなのに、火星だけ質量が小さいのは、その軌道の１ｍ３の原子数が少ないからです。原子の濃度が薄いからです。原子の濃度が薄いから、密度が小さい火星ができた。原子の濃度が薄いから集まりづらく、火星の質量は小さい。
先に、小惑星ができていたので、その近辺の原子濃度が薄くなっていた。
原子濃度が薄い場に火星ができた。
よって、小惑星が先にでき、その後、火星ができた。
この事から理解できる事。
１．小惑星ができてから火星ができた。
２．中性子星のジェットでカイパーベルト小惑星ができ、次に、核融合反応がおきる以前のジェットで、火星の軌道に小惑星ができた。その後、惑星ができた。
１１．  ジェットには２種類あります。１つは、ブラックホールや中性子星でできるジェットです。１つは、核融合反応がおきる以前にできるジェットです。このジェットの名を“核融合反応の点火のジェット”と名づけます。
ブラックホールや中性子星でできるジェットで、“核融合反応の点火のジェット”が点火され、“核融合反応の点火のジェット”で、核融合反応が点火された。
１２．  小惑星はどうしてまとまって１つの大きな惑星にならなかったのか。
核融合反応がおきる以前、ジェットが出た。そのジェットで、所々に元素の塊ができ小惑星ができた。小惑星は同じ速度で回転していた。それで、小惑星は接近する事が無いので結合できず、大きな惑星にはならなかった。
この事から理解できる事。
１．惑星の速度は大きさや質量によらず、太陽からの距離により決定される。
１３．  惑星ができた軌道はどれ位収縮したか。
惑星ができた軌道は、「請求項４」で求めた。
惑星ができた軌道の中に存在する元素が現在の惑星になった。
惑星は、惑星ができた軌道の体積が収縮し、現在の体積になった、と考えるとき、惑星の収縮率はいくらか。
収縮率＝現在の体積÷惑星ができた軌道の体積
2008099552.tif 000005
この事によって理解できる事。
１．惑星ができる時、惑星の体積が約１０１３分の１に収縮し惑星ができた、と考える事ができる。
２．惑星ができる以前、その場の軌道には１ｍ３に原子数が約１０１７個あった。体積が約１０１３分の１に収縮し惑星ができた、と考える事ができる。
３．１ｍ３の原子数は、１ｍ３の原子濃度です。原子濃度の大きい空間ほど収縮しやすい。
１４．  １ｍ３の原子数と収縮率は比例します。この式を、１ｍ３の原子数×収縮率定数＝収縮率  の式で現すと収縮率定数はいくらになるか。
水星の場合。
惑星ができた軌道の１ｍ３の原子数×収縮率定数＝収縮率
収縮率定数＝収縮率÷惑星ができた軌道の１ｍ３の原子数
収縮率定数＝２．９９４×１０−１４÷（７．５０１×１０１６個）＝３．０５８×１０−３１
金星の場合。
収縮率定数＝１．２９１×１０−１３÷（４．０６５×１０１７個）＝３．１７６×１０−３１
地球の場合。
収縮率定数＝１．００６×１０−１３÷（３．３３３×１０１７個）＝３．０１８×１０−３１
火星の場合。
収縮率定数＝２．７６７×１０−１５÷（６．５１９×１０１５個）＝４．２４５×１０−３１
木星の場合。
収縮率定数＝２．９６７×１０−１３÷（２．３６５×１０１７個）＝１．２５５×１０−３０
土星の場合。
収縮率定数＝４．６０６×１０−１４÷（１．９２３×１０１６個）＝２．３９５×１０−３０
天王星の場合。
収縮率定数＝３．９５６×１０−１６÷（３．０２４×１０１４個）＝１．３０８×１０−３０
海王星の場合。
収縮率定数＝１．４４２×１０−１６÷（１．４１３×１０１４個）＝１．０２１×１０−３０
１５．  地球型惑星とガス型惑星はどのようにできるか。
１．水星、金星、地球の収縮率定数は３×１０−３１です。火星の収縮率定数は４×１０−３１です。
これは、地球型惑星です。
地球型惑星の体積＝惑星ができた軌道の体積×惑星ができた軌道の１ｍ３の原子数×３〜４×１０−３１＝惑星ができた軌道の原子数×３〜４×１０−３１＝惑星の原子数×３〜４×１０−３１
地球型惑星は、惑星の体積＝惑星の原子数×３〜４×１０−３１になった物です。
２．木星、天王星、海王星の収縮率定数は１×１０−３０です。土星の収縮率定数は２．４×１０−３０です。これは、ガス型惑星です。
ガス型惑星の体積＝惑星ができた軌道の体積×惑星ができた軌道の１ｍ３の原子数×１〜２×１０−３０＝惑星ができた軌道の原子数×１〜２×１０−３０＝惑星の原子数×１〜２×１０−３０
ガス型惑星は、惑星の体積＝惑星の原子数×１〜２×１０−３０になった物です。
2008099552.tif 000006
2008099552.tif 000007
１６．  惑星の体積＝惑星ができた軌道の体積×惑星ができた軌道の１ｍ３の原子数×収縮率定数  の式より、できた惑星の密度を求める。惑星の密度は何によって決定されるか。
惑星の体積＝惑星ができた軌道の体積×惑星ができた軌道の１ｍ３の原子数×収縮率定数＝惑星ができた軌道の原子数×収縮率定数＝惑星の原子数×収縮率定数
惑星の体積＝惑星の原子数×収縮率定数
惑星の密度＝惑星の質量÷惑星の体積＝惑星の質量÷（惑星の原子数×収縮率定数）＝惑星の原子数×１．６６０６×１０−２４ｇ÷（惑星の原子数×収縮率定数）＝１．６６０６×１０−２４ｇ÷収縮率定数
水星の場合。
水星の密度＝１．６６０６×１０−２４ｇ÷収縮率定数＝１．６６０６×１０−２４ｇ÷（３．０５８×１０−３１）＝５．４３０×１０６ｇ／ｍ３＝５．４３ｇ／ｃｍ
金星の場合。
金星の密度＝１．６６０６×１０−２４ｇ÷収縮率定数＝１．６６０６×１０−２４ｇ÷（３．１７６×１０−３１）＝５．２２９×１０６ｇ／ｍ３＝５．２２９ｇ／ｃｍ
地球の場合。
地球の密度＝１．６６０６×１０−２４ｇ÷収縮率定数＝１．６６０６×１０−２４ｇ÷（３．０１８×１０−３１）＝５．５０２×１０６ｇ／ｍ３＝５．５０２ｇ／ｃｍ
火星の場合。
火星の密度＝１．６６０６×１０−２４ｇ÷収縮率定数＝１．６６０６×１０−２４ｇ÷（４．２４５×１０−３１）＝３．９１２×１０６ｇ／ｍ３＝３．９１２ｇ／ｃｍ
木星の場合。
木星の密度＝１．６６０６×１０−２４ｇ÷収縮率定数＝１．６６０６×１０−２４ｇ÷（１．２５５×１０−３０）＝１．３２３×１０６ｇ／ｍ３＝１．３２３ｇ／ｃｍ
土星の場合。
土星の密度＝１．６６０６×１０−２４ｇ÷収縮率定数＝１．６６０６×１０−２４ｇ÷（２．３９５×１０−３０）＝０．６９３×１０６ｇ／ｍ３＝０．６９３ｇ／ｃｍ
天王星の場合。
天王星の密度＝１．６６０６×１０−２４ｇ÷収縮率定数＝１．６６０６×１０−２４ｇ÷（１．３０８×１０−３０）＝１．２７０×１０６ｇ／ｍ３＝１．２７０ｇ／ｃｍ
海王星の場合。
海王星の密度＝１．６６０６×１０−２４ｇ÷収縮率定数＝１．６６０６×１０−２４ｇ÷（１．０２１×１０−３０）＝１．６２６×１０６ｇ／ｍ３＝１．６２６ｇ／ｃｍ
・惑星の密度は何によって決定されるか。
惑星の密度＝１．６６０６×１０−２４ｇ÷収縮率定数
惑星の密度は、惑星の収縮率定数によって決定される。
１７．  惑星の収縮率定数とは何か。
収縮率定数＝収縮率÷惑星ができた軌道の１ｍ３の原子数
収縮率＝惑星の体積÷惑星ができた軌道の体積
収縮率定数＝惑星の体積÷惑星ができた軌道の体積÷惑星ができた軌道の１ｍ３の原子数＝惑星の体積÷（惑星ができた軌道の体積×惑星ができた軌道の１ｍ３の原子数）＝惑星の体積÷惑星の原子数
この事は、惑星ができた軌道に、１ｍ３にどれ位の原子数が存在したかによって、収縮率定数が決定される。
１ｍ３の原子数が多いと、収縮率は大きい。
よって、次の式が成立する。
収縮率定数×惑星ができた軌道の体積×惑星ができた軌道の１ｍ３の原子数＝惑星の体積
収縮率定数×惑星の原子数＝惑星の体積
この式の確認をする。
水星の場合。
３．０５８×１０−３１×２．６４１×１０３３ｍ３×７．５０１×１０１６個＝６．０５８×１０１９ｍ３
３．０５８×１０−３１×１．９８１×１０５０個＝６．０５８×１０１９ｍ３
金星の場合。
３．１７６×１０−３１×７．１８５×１０３３ｍ３×４．０６５×１０１７個＝９．２７６×１０２０ｍ３
３．１７６×１０−３１×２．９２１×１０５１個＝９．２７７×１０２０ｍ３
地球の場合。
３．０１８×１０−３１×１０．７５２×１０３３ｍ３×３．３３３×１０１７個＝１．０８２×１０２１ｍ３
３．０１８×１０−３１×３．５８４×１０５１個＝１．０８２×１０２１ｍ３
火星の場合。
４．２４１×１０−３１×５９．０５７×１０３３ｍ３×６．５１９×１０１５個＝１．６３３×１０２０ｍ３
４．２４１×１０−３１×３．８５０×１０５０個＝１．６３３×１０２１ｍ３
木星の場合。
１．２５５×１０−３０×４８１５．４８×１０３３ｍ３×２．３６５×１０１７個＝１．４２９×１０２４ｍ３
１．２５５×１０−３０×１．１３９×１０５４個＝１．４２９×１０２４ｍ３
土星の場合。
２．３９５×１０−３０×１７７３３×１０３３ｍ３×１．９２３×１０１６個＝８．１６７×１０２３ｍ３
２．３９５×１０−３０×３．４１１×１０５３個＝８．１６９×１０２３ｍ３
天王星の場合。
１．３０８×１０−３０×１７２３４６×１０３３ｍ３×３．０２４×１０１４個＝６．８１７×１０２２ｍ３
１．３０８×１０−３０×５．２１２×１０５２個＝６．８１７×１０２２ｍ３
海王星の場合。
１．０２１×１０−３０×４３５０８６×１０３３ｍ３×１．４１３×１０１４個＝６．２７７×１０２２ｍ３
１．０２１×１０−３０×６．１４７×１０５２個＝６．２７６×１０２２ｍ３
１８．  惑星の質量はどのように決定されたか。
惑星の体積＝惑星ができた軌道の体積×惑星ができた軌道の１ｍ３の原子数×収縮率定数
惑星の密度＝惑星の質量÷惑星の体積＝惑星の原子数×１．６６０６×１０−２４ｇ÷（惑星ができた軌道の体積×惑星ができた軌道の１ｍ３の原子数×収縮率定数）＝１．６６０６×１０−２４ｇ÷収縮率定数
惑星の質量＝惑星の体積×密度＝惑星ができた軌道の体積×惑星ができた軌道の１ｍ３の原子数×収縮率定数×１．６６０６×１０−２４ｇ÷収縮率定数＝惑星ができた軌道の体積×惑星ができた軌道の１ｍ３の原子数×１．６６０６×１０−２４ｇ＝惑星ができた軌道の体積の原子数×１．６６０６×１０−２４ｇ＝惑星の体積の原子数×１．６６０６×１０−２４ｇ
この事によって理解できる事。
１．惑星ができた軌道の体積が惑星の体積に収縮した。
１９．  太陽ができた時．太陽の水素はジェット噴射が届く範囲から集まった。その時、１ｍ３に、何個の原子が存在したか。
ジェットが届く距離は、６．９６×１０５Ｋｍ×８４９×２．０２９×１０５÷（３．８７２×１０３）＝３．０９６×１０１０Ｋｍです。
この体積は、４π÷３×（３．０９６×１０１０＋３ｍ）３＝１．２４２×１０４１ｍ３
太陽の原子数は、６×１０２６個×太陽の質量＝６×１０２６個×１．９８９×１０３０Ｋｇ＝１．１９３×１０５７個です。
この原子数は中性子星の原子も含まれるのですが、この原子数が１．２４２×１０４１ｍ３に存在したとする。
１ｍ３に、１．１９３×１０５７個÷（１．２４２×１０４１ｍ３）＝９．６×１０１５個の原子が存在した。約１０１６個の原子が存在した。
この事によって何が理解できるか。
１．太陽は、中心に中性子星があり、１０−１４ｍの時代、１ｍ３に、１０１６個の原子が存在する軌道でできた。
２０．  私は、今まで、クエーサーや銀河の中心の質量が太陽の質量の１０ｎ倍である。この質量は、ジェットが届く範囲から集まるとして、１ｍ３の原子数を計算した。しかし、ジェットが届く範囲から集まる原子数は、クエーサーや銀河の中心の質量だけではなく、クエーサーや銀河全体の質量である。それで、クエーサーや銀河の中心の質量が太陽の質量の１０ｎ倍であるを、クエーサーや銀河の質量が太陽の質量の１０ｎ倍である、と訂正する。
例えば、銀河系の質量は６×１０１１太陽質量倍で、中心核のブラックホールは数百万太陽質量倍です。銀河系の質量は、中心核の約１０５倍です。
それで、ジェットが届く範囲から集まる原子数は、中心の質量の原子数ではなく、銀河系の質量の原子数です。
このように、ジェットが届く範囲から集まる原子数は、クエーサーや銀河の中心の質量の原子数ではなく、クエーサーや銀河の質量の原子数です。
２１．  地球でできた磁気帯や、太陽でできた磁気帯や、銀河でできた磁気帯はどのような働きをしているのか。
地球でできた地磁気は、太陽風のフレアーを阻止している。この地磁気は地球の中央でできたものです。
このような磁気帯は太陽にも銀河にもあるはずです。
２２．  地球の磁気帯はどのようにできるのか。磁気帯の軌道の距離はどのように求められるか。磁気帯のエネルギーの大きさはどのように理解できるか。磁気帯のエネルギーの強さはどのようであるか。
・地球の磁気帯はどのようにできるのか。
地球の中央でできた地磁気は、地球の両極から放出する。
地球の中央の温度は、Ａ２＝８５．６２＝７３２７．３６（℃）です。７．３２７＋２７３＝７６００（Ｋ）です。
この電磁気のエネルギーが放出する。
・磁気帯の軌道の距離はどのように求められるか。
地磁気は地球の半径の１０倍の軌道まで届く。
温度×ｘ＝磁気帯の軌道の距離
７３２７．３６（℃）×ｘ＝地球の半径×１０＝６．３７８×１０４Ｋｍ
ｘ＝６．３７８×１０４Ｋｍ÷７３２７．３６（℃）＝８．７Ｋｍ
よって、
磁気帯の軌道の距離＝温度×８．７Ｋｍ＝Ａ２×８．７Ｋｍ
磁気帯の軌道の距離は、温度×８．７Ｋｍ＝Ａ２×８．７Ｋｍ  の式で求められる。
・磁気帯のエネルギーの大きさはどのように理解できるか。
磁気帯のエネルギーの大きさは、磁気帯を作った場のＡによって理解できる。
磁気帯のエネルギーの大きさは、磁気帯を作った場のＡに比例する。
・磁気帯のエネルギーの強さはどのようであるか。
磁気帯のエネルギーの強さは、磁気帯を作る部分の元素の数×光子のエネルギーの大きさ＝磁気帯を作る部分の元素の数×磁気帯を作った場のＡ  に比例する。
２３．  地球でできる磁気帯は地球のどの部分でできるか。磁気帯のエネルギーの大きさはどのようであるか。磁気帯のエネルギーの強さはどのようであるか。
・地球でできる磁気帯は地球のどの部分でできるか。
太陽風や宇宙線から地球を守っている強いエネルギーの地磁気は、地球の中央でできた。
この事については「請求項２２」に記した。
バン・アレン帯の内帯は地上３０００Ｋｍから４０００Ｋｍにある。
バン・アレン帯の外帯は地上１万Ｋｍから２万Ｋｍにある。
地球の地殻の温度は８００Ｋです。
地球のマントルの温度は３０００Ｋです。
地球の核の温度は７６００Ｋです。
この事について考える。
磁気の軌道の距離は、温度×８．７Ｋｍ＝Ａ２×８．７Ｋｍの式によって、バン・アレン帯の内帯とバン・アレン帯の外帯を作っている地球の内部の温度を知る。
バン・アレン帯の外帯について。
バン・アレン帯の外帯を作っているのは、地球のマントルです。
その温度は、
温度×８．７Ｋｍ＝２００００Ｋｍ
温度＝２００００Ｋｍ÷８．７Ｋｍ＝２２９８．８５℃
２２９８．８５℃＋２７３＝２５７１．８５Ｋ  です。
この場のＡは、（２２９８．８５℃）１／２＝４７．９４６です。
バン・アレン帯の内帯について。
バン・アレン帯の内帯を作っているのは、地球の地殻です。
その温度は、
温度×８．７Ｋｍ＝４０００Ｋｍ
温度＝４０００Ｋｍ÷８．７Ｋｍ＝４５９．７７℃
４５９．７７℃＋２７３＝７３２．７７Ｋ  です。
この場のＡは、（４５９．７７℃）１／２＝２１．４４２です。
・磁気帯のエネルギーの大きさはどのようであるか。
磁気帯のエネルギーの大きさは、磁気帯を作った場のＡに比例する。
太陽風や宇宙線から地球を守っている地磁気のエネルギーの大きさ：バン・アレン帯の外帯のエネルギーの大きさ：バン・アレン帯の内帯のエネルギーの大きさ＝８５．６：４７．９４６：２１．４４２≒４：２．２：１
・磁気帯のエネルギーの強さはどのようであるか。
磁気帯のエネルギーの強さは、磁気帯を作る部分の元素の数×光子のエネルギーの大きさ＝磁気帯を作る部分の元素の数×磁気帯を作った場のＡ
太陽風や宇宙線から地球を守っている地磁気のエネルギーの強さ：バン・アレン帯の外帯のエネルギーの強さ：バン・アレン帯の内帯のエネルギーの強さ＝核の元素数×８５．６：マントルの元素数×４７．９４６：地殻の元素数×２１．４４２≒核の元素数×４：マントルの元素数×２．２：地殻の元素数×１
２４．  太陽から１４０億Ｋｍの軌道には、高エネルギー荷電粒子帯がある。この磁気帯は太陽の中のどこでできたか。太陽の中でできる磁気帯は太陽からどれ位離れた距離の軌道に存在するか。
・１４０億Ｋｍの軌道の高エネルギー荷電粒子帯は、太陽の中心でできた高エネルギーの磁気帯がここに存在する事を示す。
１．４×１０１０Ｋｍの高エネルギーの磁気帯は、太陽の中心でできた。
その温度は、
温度×８．７Ｋｍ＝１．４×１０１０Ｋｍ
温度＝１．４×１０１０Ｋｍ÷８．７Ｋｍ＝１．６０９×１０９℃です。
電磁気は１．６０９×１０９℃の場でできた。
この場のＡは、（１．６０９×１０９℃）１／２＝４．０１１×１０４です。
・太陽の中でできる磁気帯は太陽からどれ位離れた距離の軌道に存在するか。
太陽の表面温度は、６０００Ｋです。
太陽のコロナの温度は、１００万度です。
・太陽のコロナでできる磁気帯は、太陽からどれ位離れた距離の軌道に存在するか。
磁気帯の軌道の距離＝温度×８．７Ｋｍ＝１０６℃×８．７Ｋｍ＝８．７×１０６Ｋｍ
コロナのＡ＝（１０６℃）１／２＝１０３
太陽のコロナでできる磁気帯は、太陽から８．７×１０６Ｋｍの軌道にできる。
・太陽の表面温度でできる磁気帯は、太陽からどれ位離れた距離の軌道に存在するか。
磁気の軌道の距離＝温度×８．７Ｋｍ＝（６０００Ｋ−２７３）×８．７Ｋｍ＝４９８２５Ｋｍ
太陽の表面のＡ＝（６０００Ｋ−２７３）１／２＝５７２７１／２＝７５．６７７
太陽の表面温度でできる磁気帯は、太陽から約５万Ｋｍの軌道にできる。
この事によって理解できる事。
１．現在、太陽の中心のＡは、４×１０４です。
太陽の中心は、中性子星のＡ＝２．０２９×１０５からＡ＝４×１０４になった。
２５．  太陽の中心は、中性子星のＡ＝２．０２９×１０５からＡ＝４×１０４になった。これは何分の１に成ったのか。この事によって何がおきたか。
・太陽の中心は、中性子星のＡ＝２．０２９×１０５からＡ＝４×１０４になった。これは何分の１に成ったのか。
２．０２９×１０５÷（４×１０４）＝５
太陽の中心のエネルギーは５分の１に成った。
・この事によって何がおきたか。
私は、今まで、ブラックホールや中性子星のＡは、６．３５３分の１になった、それで、ジェットは止まった。と考えていました。
太陽はＡ＝２．０２９×１０５の中性子星からでき、現在、太陽の中心のＡは、４×１０４になった。
この事によって何がおきたか。
中性子星のジェットは、Ａ＝２．０２９×１０５の中性子星がＡ＝４×１０４になったので、止まったと考える。
このエネルギーの減少が核融合反応を起こす原因になった。
中性子星のジェット（Ａ＝２．０２９×１０５）→“核融合反応点火のジェット”→Ａ＝４×１０４→核融合反応（Ａ＝３．８７２×１０３）
２６．  銀河の中心でできる磁気帯は、銀河の中心からどれ位離れた距離の軌道に存在するか。
銀河の質量が太陽の質量のβ倍の銀河の中心のＡは、
銀河の中心のＡ＝太陽の中心のＡ（核融合の場のＡ）×１１．１７×β１／３＝３．８７２×１０３×１１．１７×β１／３＝４．３２５×１０４×β１／３です。この事は、２００７年８月２５日に提出した特願２００７−２４６１３９の「請求項２２」に記した。
銀河系の質量は、６０００億太陽倍ですから、銀河系の中心のＡは、
銀河系の中心のＡ＝４．３２５×１０４×（６×１０１１）１／３＝４．３２５×１０４×（０．６×１０１２）１／３＝４．３２５×１０４×０．８４５×１０４＝３．６５５×１０８
銀河系の中心の温度＝Ａ２＝（３．６５５×１０８）２＝１．３３６×１０１７℃
銀河系の中心でできる磁気帯は、銀河系の中心からどれ位離れた距離の軌道に存在するか。
磁気帯の軌道の距離＝温度×８．７Ｋｍ＝Ａ２×８．７Ｋｍ＝（３．６５５×１０８）２×８．７Ｋｍ＝１．１６２×１０１８Ｋｍ
この距離は何光年か。
１光年＝３６５×２４×６０×６０×３×１０５Ｋｍ＝９．４６×１０１２Ｋｍ
この距離は、１．１６２×１０１８Ｋｍ÷（９．４６×１０１２Ｋｍ）＝１．２２８×１０５光年です。
銀河系の中心でできる磁気帯は、銀河系の中心から１．２２８×１０５光年離れた軌道に存在する。
これは、半径１．２２８×１０５光年の球体に存在する磁気帯です。
太陽系の直径は、１０５光年ですから、磁気帯はこの周囲を包囲している。
これを一般式で表す。
銀河の質量が太陽の質量のβ倍である場合。
銀河の中心のＡは、
銀河の中心のＡ＝４．３２５×１０４×β１／３です。
この場でできる磁気帯の軌道の距離は、
磁気帯の軌道の距離＝温度×８．７Ｋｍ＝Ａ２×８．７Ｋｍ＝（４．３２５×１０４×β１／３）２×８．７Ｋｍ＝１．６２７×１０１０×β２／３Ｋｍです。
銀河の質量が太陽の質量のβ倍である場合、銀河の中心でできる磁気帯の軌道の距離は、
１．６２７×１０１０×β２／３Ｋｍです。
まとめて表にする。
2008099552.tif 000008
2008099552.tif 000009
この事によって理解できる事。
１．２００７年８月２５日に提出した特願２００７−２４６１３９の「請求項２２」に記したことは正しい。銀河の質量が太陽の質量のβ倍の銀河の中心のＡは、
銀河の中心のＡ＝太陽の中心のＡ（核融合の場のＡ）×１１．１７×β１／３＝３．８７２×１０３×１１．１７×β１／３＝４．３２５×１０４×β１／３です。
２．銀河の中心で作る磁気帯は、銀河の外側の軌道まで届き、銀河を包囲し、銀河を他の銀河から守っている。
２７．  銀河と銀河は非常に近い距離にあるのに衝突しないのはどうしてか。アンドロメダの場合はどうであるか。
銀河の中心でできる磁気帯は銀河を包囲している。
この事によって、銀河は磁気帯により守られている。
それで、銀河と銀河は影響を及ぼすことなく独立した状態を保つことができる。
・アンドロメダの場合はどうであるか。
アンドロメダの質量は、７０００億太陽質量です。β＝７×１０１１です。
磁気帯の軌道の距離は、１．６２７×１０１０×β２／３Ｋｍ＝１．６２７×１０１０×（７×１０１１）２／３Ｋｍ＝１．６２７×１０１０×（０．７×１０１２）２／３Ｋｍ＝１．６２７×１０１０×０．４９１／３×１０８Ｋｍ＝１．６２７×１０１０×０．７９×１０８Ｋｍ＝１．２８５×１０１８Ｋｍ
これは何光年か。
１．２８５×１０１８Ｋｍ÷（９．４６×１０１２Ｋｍ）＝１．３５９×１０５光年
磁気帯の軌道はこの２倍ですから、２×１．３５９×１０５光年＝２．７１８×１０５光年です。
アンドロメダ銀河の直径は、１３万光年です。
それで、磁気帯はアンドロメダ銀河を包囲している。
２８．  地球の引力は月にまで及ぶ。太陽の引力はオールトの雲まで及ぶ。銀河の中心の引力は銀河の端の星まで及ぶ。これらの引力はどれ位の光子のエネルギーであるか。
宇宙の磁気帯は、電気の光子と磁気の光子でできている。なぜなら、電子のラブと陽子のラブは、自転しながら公転するので、磁気の光子と電気の光子は一緒にできるからです。
磁気帯は電磁気帯です。
引力は磁気の光子によってできるのですが、磁気の光子と電気の光子が一緒になっているので、引力を電気の光子のエネルギーとして計算する。電気の光子の軌道として計算する。
届く光子のエネルギー＝出発する光子のエネルギー×２×１０８ｍ÷（走った距離の軌道）＝出発する光子のエネルギー×２×１０８ｍ÷（走った距離×２）＝出発する光子のエネルギー×１０８ｍ÷走った距離
この式より、月に届く電気の光子のエネルギーと、オールトの雲に届く電気の光子のエネルギーと、銀河の端の星に届く電気の光子のエネルギーを調べる。
▲１▼月に届く電気の光子のエネルギーについて。
地球から出発する電気の光子の波長を青色とする。この理由は、「地球は青かった」からです。
青色の波長は４．５×１０−７ｍです。軌道は、２×４．５×１０−７ｍ＝９×１０−７ｍです。
この電気の光子１個のエネルギーは、
１０−４１Ｊｍ÷（９×１０−７ｍ）＝１．１１×１０−３５Ｊです。
月の軌道は、約地球の半径の６０倍ですから、
６０×地球の半径＝６０×６３７０Ｋｍ＝３．８２２×１０５Ｋｍです。
月に届く電気の光子１個のエネルギーは、
Ｅ＝１．１１×１０−３５Ｊ×１０８ｍ÷（３．８２２×１０５＋３ｍ）＝２．９０４×１０−３６Ｊです。
月に届く電気の光子２．９０４×１０−３６Ｊが引力になっている。
▲２▼オールトの雲に届く電気の光子のエネルギーについて。
太陽から出発する電気の光子の軌道は、１０−１０ｍで、エネルギーは、１０−３１Ｊです。
オールト雲の軌道は約１０１１Ｋｍです。
オールト雲に届く電気の光子１個のエネルギーは、
Ｅ＝１０−３１Ｊ×１０８ｍ÷１０１１＋３ｍ＝１０−３７Ｊです。
オールト雲に届く電気の光子１０−３７Ｊが引力になっている。
▲３▼銀河の端の星に届く電気の光子のエネルギーについて。
銀河から出発する電気の光子の軌道は、電子のラブの軌道と同じです。
銀河系の中心のＡは、Ａ＝３．６５５×１０８ですから、電子のラブの公転軌道は、
１０−１０ｍ÷Ａ＝１０−１０ｍ÷（３．６５５×１０８）＝２．７３６×１０−１９ｍです。
この電気の光子１個のエネルギーは、
１０−４１Ｊｍ÷（２．７３６×１０−１９ｍ）＝３．６５５×１０−２３Ｊです。
銀河の端の星の軌道は、約５×１０４光年ですから、
５×１０４光年×９．４６×１０１２Ｋｍ＝４．７３×１０１７Ｋｍです。
銀河の端の星に届く電気の光子１個のエネルギーは、
Ｅ＝３．６５５×１０−２３Ｊ×１０８ｍ÷（４．７３×１０１７＋３ｍ）＝７．７２７×１０−３６Ｊです。
銀河の端の星に届く電気の光子７．７２７×１０−３６Ｊが引力になっている。
この事から理解できる事
１．月の軌道に届く電気の光子２．９０４×１０−３６Ｊが引力になっている。
オールト雲の軌道に届く電気の光子１０−３７Ｊが引力になっている。
銀河の端の星の軌道に届く電気の光子７．７２７×１０−３６Ｊが引力になっている。
２．７．７２７×１０−３６Ｊから１０−３７Ｊまでの電気の光子が引力に成っている。
３．この電気の光子の軌道は、約１０−４１Ｊｍ÷１０−３７Ｊ＝１０−４ｍです。１０−４ｍまでの電磁気が引力に成っている。
２９．  天王星、海王星に届く電気の光子の軌道（波長）はどれ位か。
太陽から出発する電気の光子の軌道は１０−１０ｍで、エネルギーは１０−３１Ｊです。
天王星の軌道は、２８．７５０×１０８Ｋｍです。
海王星の軌道は、４５．０４４×１０８Ｋｍです。
天王星の軌道に届く電気の光子のエネルギーは、
Ｅ＝１０−３１Ｊ×１０８ｍ÷（２８．７５０×１０８＋３ｍ）＝３．４７８×１０−３６Ｊです。
この軌道は、
１０−４１Ｊｍ÷（３．４７８×１０−３６Ｊ）＝２．８７５×１０−６ｍ
この波長は、２×２．８７５×１０−６ｍ＝５．７５×１０−６ｍ
海王星の軌道に届く電気の光子のエネルギーは、
Ｅ＝１０−３１Ｊ×１０８ｍ÷（４５．０４４×１０８＋３ｍ）＝２．２２×１０−３６Ｊです。
この軌道は、
１０−４１Ｊｍ÷（２．２２×１０−３６Ｊ）＝４．５０５×１０−６ｍ
この波長は、２×４．５０５×１０−６ｍ＝９．０１×１０−６ｍ
天王星の軌道に届く電気の光子の波長は、５．７５×１０−６ｍで、赤外線です。
海王星の軌道に届く電気の光子の波長は、９．０１×１０−６ｍで、赤外線です。
この光子によって軌道は暖められる。それで、ダークマターは水素に成る。
この事によって理解できる事。
１．中性子星の時代、ダークマターと、爆発した第１世代の星の元素が存在した。
２．ダークマターが水素に成ったのは、太陽の中心で、核融合反応が起き、太陽から光子が放出し輝きだした時からです。
３．ダークマターは、太陽から放出する電気の光子に暖められて水素に成った。
４．惑星ができたのは、太陽の中心で核融合反応がおき、ダークマターが赤外線で暖められ、水素に成った時からです。
３０．  太陽系はどのようにできたか。
▲１▼第１世代の星の中心にあった中性子星が太陽の基になった。
▲２▼中性子星から噴出するジェットにより、エッジワース・カイパーベルトができた。
▲３▼ダークマターは中性子星に引かれ集まった。
▲４▼中性子星に水素がプラスされた。
▲５▼太陽の質量ができた。
▲６▼太陽の中心で、“核融合反応の点火のジェット”が噴出した。
▲７▼ジェットは火星の軌道に届き、そこに小惑星を作った。
▲８▼太陽のジェットは消え、核融合反応がおき、光子が放射され、太陽は輝いた。
▲９▼太陽から放射される電気の光子により、空間は暖められ、ダークマターは水素に成った。
▲１０▼軌道の体積の空間は縮小し、惑星ができた。
【発明の効果】
【０００６】次の事が理解できた。
１．太陽に、第１世代の元素が集まらなかったのは、元素の電子のラブの公転軌道が、１０−１０ｍから１０−９ｍであり、中性子星の電子のラブの公転軌道でできた電気の光子の軌道は、５．２×１０−１６ｍであるので、軌道の大きさがかけ離れているので、電気の光子は、元素に作用しないためです。
２．中性子星の電子のラブの公転軌道でできた電気の光子の軌道は、５．２×１０−１６ｍである。ダークマターの自転軌道は１．７×１０−１７ｍです。水素雲の水素の公転軌道は、１．６×１０−９ｍです。それで、電気の光子は、ダークマターの周囲を取り巻き活性化させます。水素には作用しません。中性子星に集まってきたのは、ダークマターである自転する電子のラブと陽子のラブです。
３．太陽ができた場は、１０−１４ｍの時代で、１ｍ３の原子数が１０１６個である軌道です。
４．惑星ができる軌道を次のように理解した。
2008099552.tif 000010
５．太陽の第１世代の星の元素は、重い元素は火星まで飛んだ。
水素とヘリュウムは、木星まで飛んだ。
６．土星の密度が小さいのは、水素でできているためです。この水素は、第１世代の星が爆発した時、水星から木星までのダークマターの１部が、土星の軌道に押し出されたものです。その余波で、ダークマターは天王星まで押し出された。天王星の密度が海王星より小さいのは水素の割合が多いためです。
７．土星の水素とヘリュウムの割合は、１００：２５です。
８．海王星ができた軌道（１０−１４ｍの時代で、１ｍ３の原子数が１．４×１０１４個の軌道）の、水素とヘリュウムの割合は、１：０．３２です。
９．ビッグバンの後、水素とヘリュウムの割合は１：０．３２＝１００：３２であった。
１０．火星と木星の間の小惑星の総合質量は、約２．８７×１０２５Ｋｇです。
１１．火星ができた時、小惑星ができていたので、その近辺の原子濃度が薄くなっていた。火星は、原子濃度が薄い場にできので、原子は集まりづらく、密度は小さく、質量も小さい。
１２．中性子星のジェットでカイパーベルト小惑星ができ、次に、核融合反応がおきる以前のジェットで、火星の軌道に小惑星ができた。その後、惑星ができた。
１３．ジェットには２種類あります。１つは、ブラックホールや中性子星でできるジェットです。１つは、核融合反応がおきる以前にできるジェットです。このジェットの名を“核融合反応の点火のジェット”と名づけます。
１４．小惑星は衝突しない。惑星の速度は大きさや質量によらず、太陽からの距離により決定される。
１５．惑星ができる時、惑星の体積が約１０１３分の１に収縮し惑星ができた、と考える事ができる。
１６．惑星ができる以前、その場の軌道には１ｍ３に原子数が約１０１７個あった。それが、約１０１３分の１に収縮し惑星ができた、と考える事ができる。
１７．１ｍ３の原子数は、１ｍ３の原子濃度です。原子濃度の大きい空間ほど収縮しやすい。
１８．惑星の収縮率定数と、できた惑星の種類を次のように理解した。
2008099552.tif 000011
１９．惑星の密度＝１．６６０６×１０−２４ｇ÷収縮率定数
惑星の密度は、惑星の収縮率定数によって決定される。
２０．収縮率定数は、惑星ができた軌道に、どれ位の原子数が存在したかによって決定される。
収縮率定数×惑星ができた軌道の体積×惑星ができた軌道の１ｍ３の原子数＝惑星の体積
収縮率定数×惑星の原子数＝惑星の体積
２１．惑星ができた軌道の体積が惑星の体積に収縮した。
２２．太陽は、中心に中性子星があり、１０−１４ｍの時代、１ｍ３に、１０１６個の原子が存在する軌道でできた。
２３．クエーサーや銀河の中心の質量が太陽の質量の１０ｎ倍であるを、クエーサーや銀河の質量が太陽の質量の１０ｎ倍である、と訂正する。
２４．地磁気のような磁気帯は太陽にも銀河にもあるはずです。
磁気帯について次のように理解した。
2008099552.tif 000012
２５．磁気帯の軌道の距離＝温度×８．７Ｋｍ＝Ａ２×８．７Ｋｍ
２６．太陽の中心は、中性子星のＡ＝２．０２９×１０５からＡ＝４×１０４になった。
エネルギーは、１／５になった。このエネルギーが核融合反応をおこさせた。
２７．銀河の中心のＡ＝太陽の中心のＡ（核融合の場のＡ）×１１．１７×β１／３＝３．８７２×１０３×１１．１７×β１／３＝４．３２５×１０４×β１／３です。
２８．銀河の中心で作る磁気帯は、銀河の外側の軌道まで届き、銀河を包囲し、銀河を他の銀河から守っている。
２９．銀河と銀河は非常に近い距離にあるのに衝突しないのは、銀河の周囲を磁気帯が包囲しているからです。
３０月の軌道に届く電気の光子２．９０４×１０−３６Ｊが引力になっている。
オールト雲の軌道に届く電気の光子１０−３７Ｊが引力になっている。
銀河の端の星の軌道に届く電気の光子７．７２７×１０−３６Ｊが引力になっている。
３１．７．７２７×１０−３６Ｊから１０−３７Ｊまでの電気の光子が引力に成っている。
３２．この電気の光子の軌道は、約１０−４１Ｊｍ÷１０−３７Ｊ＝１０−４ｍです。１０−４ｍまでの電磁気が引力に成っている。
３３．中性子星の時代、ダークマターと、爆発した第１世代の星の元素が存在した。
３４．ダークマターが水素に成ったのは、太陽の中心で、核融合反応が起き、太陽から光子が放出し輝きだした時からです。
３５．ダークマターは、太陽から放出する電気の光子に暖められて水素に成った。
３６．惑星ができたのは、太陽の中心で核融合反応がおき、ダークマターが赤外線で暖められ、水素に成った時からです。
【図面の簡単な説明】
【０００７】
【図１】中性子星の電子のラブの公転軌道は、１．０５８×１０−１０ｍ÷中性子星のＡ＝１．０５８×１０−１０ｍ÷（２．０２８×１０５）＝５．２１７×１０−１６ｍです。これによってできる電気の光子の軌道は５．２１７×１０−１６ｍです。太陽の第１世代の星の元素は、−２７３℃の空間に放出したので、元素の外側の電子のラブの公転軌道は１０−１０ｍから１０−９ｍです。軌道の大きさがかけ離れているので、中性子星の電子のラブでできた光子は元素には作用しない。それで、中性子星に元素は集まらなかった。
【図２】中性子星の電子のラブの公転軌道は、１．０５８×１０−１０ｍ÷（２．０２８×１０５）＝５．２１７×１０−１６ｍです。電子のラブの公転でできた電気の光子の軌道は、５．２１７×１０−１６ｍです。ダークマターの電子のラブの公転軌道は、１０−１０ｍ×２７３℃１／２＝１０−１０ｍ×１６．５２＝１．６５２×１０−９ｍで、自転軌道は、１．６５２×１０−９−８ｍ＝１．６５２×１０−１７ｍです。ダークマターは公転せず自転しています。水素雲の水素の公転軌道は、１０−１０ｍ×２６０℃１／２＝１０−１０ｍ×１６．１２＝１．６１２×１０−９ｍです。しかし、水素雲は水素ですから、電子のラブと陽子のラブは単独で自転しません。水素の外側は電子のラブの公転軌道です。それで、電気の光子は、ダークマターの周囲を取り巻き活性化させます。水素には作用しません。中性子星に集まってきたのは、活性化したダークマターである自転する電子のラブと陽子のラブです。
【図３】第１世代の星の爆発により、重い元素は火星まで飛んだ。水素とヘリュウムは、木星まで飛んだ。第１世代の星が爆発した時、水星から木星までのダークマターの１部が、土星の軌道に押し出された。その余波で、ダークマターは天王星まで押し出された。土星の密度が小さいのは、ほぼ水素でできているためです。
【図４】銀河系の中心でできる磁気帯は、銀河系の中心から１．２２８×１０５光年離れた軌道に存在する。この磁気帯は銀河系を包囲している。アンドロメダ銀河の中心でできる磁気帯は、アンドロメダ銀河の中心から１．３５９×１０５光年離れた軌道に存在する。この磁気帯はアンドロメダ銀河を包囲している。銀河と銀河が非常に近い距離にあるのに衝突しないのは、銀河の中心でできる磁気帯が銀河を包囲しているからです。
【符号の説明】
【０００８】１    中性子星
２    中性子星の電子のラブ（公転軌道は５．２１７×１０−１６ｍ）
３    中性子星の電子のラブでできた電気の光子（軌道は５．２１７×１０−１６ｍ）
４    元素（外側の電子のラブの公転軌道は１０−１０ｍから１０−９ｍ）
５    ダークマター（自転軌道は１．６５２×１０−１７ｍ）
６    活性化されたダークマター
７    水素（公転軌道は１．６１２×１０−９ｍ）
８    水星の軌道
９    金星の軌道
１０  地球の軌道
１１  火星の軌道
１２  木星の軌道
１３  土星の軌道
１４  天王星の軌道
１５  重い元素
１６  ヘリウムや水素
１７  水星から木星までのダークマターの１部
１８  第１世代の星の元素の爆発物により土星と天王星の軌道まで押し出されたダークマター。
１９  銀河系（直径１０５光年）
２０  銀河系の中心でできる磁気帯（直径２．４５６×１０５光年）
２１  アンドロメダ銀河（直径１．３×１０５光年）
２２  アンドロメダの中心でできる磁気帯（直径２．７１８×１０５光年）
【図１】
2008099552.tif 000018
【図２】
2008099552.tif 000019
【図３】
2008099552.tif 000020
【図４】
2008099552.tif 000021